(57)【要約】【課題】第２大入賞口に確変口が設けられたタイプの弾球遊技機において、確変状態への移行について多様な演出を行う。【解決手段】パチンコ機は、第１，第２大入賞口を有しており、大当り遊技の際に第２大入賞口に遊技球が入球し、該遊技球が確変口に入球すると、確変状態に移行する。そして、パチンコ機は、１Ｒにて第２大入賞口が長時間開放される８Ｒ突確大当りや２Ｒ突確大当りが発生すると、大当り遊技の開始前に図柄変動にて突確図柄を停止表示させる突確演出を行う（演出画面８３０参照）。また、４Ｒ又は８Ｒで第２大入賞口が長時間開放される昇格大当りが生じると、大当り遊技中に確変状態への移行を示唆する昇格演出を行う。【選択図】図２２
2015036009.tif 000002
【特許請求の範囲】
【請求項１】
遊技の進行を制御する主制御装置と、前記主制御装置からのコマンドに応じて演出を行うサブ制御装置と、第１大入賞口と、確変口が設けられた第２大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、１または複数のラウンドにわたり大当り遊技を行い、各ラウンドでは、前記第１大入賞口又は前記第２大入賞口を開放すると共に、前記第２大入賞口を開放する際には、入球が困難となる程度に短時間開放する移行不能状態とするか、或いは、入球が容易となる程度に長時間開放する確変移行状態とする特定遊技手段と、
前記大当り遊技中に前記確変口への入球が生じると、当該大当り遊技終了後の遊技状態を、前記当否判定で当る確率が上昇する確変状態に設定する確変設定手段と、
前記遊技の進行状況に関する前記コマンドを、前記サブ制御装置に送信する送信手段と、を備え、
前記開放パターンとして、少なくとも１ラウンド目において前記第２大入賞口が前記確変移行状態となる突確パターンと、２ラウンド目以降のラウンドにおいて前記第２大入賞口が前記確変移行状態となる昇格パターンとを有し、
前記サブ制御装置は、前記突確パターンの前記大当り遊技が行われる場合には、前記コマンドに応じて、該大当り遊技の開始前に前記確変状態への移行を示唆する前記演出を行うと共に、前記昇格パターンの前記大当り遊技が行われる場合には、前記コマンドに応じて、当該大当り遊技の途中に前記確変状態への移行を示唆する前記演出を行うこと、
を特徴とする弾球遊技機。
【請求項２】
請求項１に記載の弾球遊技機において、
前記当否判定手段は、さらに、前記当否判定において小当りとなったか否かを判定し、
前記特定遊技手段は、前記当否判定で前記小当りになると、予め定められた回数にわたり前記第２大入賞口の前記短時間開放を行い、
前記サブ制御装置は、前記小当りが生じた場合には、前記コマンドに応じて、前記第２大入賞口の前記短時間開放が開始される前に、前記確変状態への移行を示唆する前記演出を行うこと、
を特徴とする弾球遊技機。
【請求項３】
遊技の進行を制御する主制御装置と、前記主制御装置からのコマンドに応じて演出を行うサブ制御装置と、第１大入賞口と、確変口及び該確変口を開閉する開閉部材が設けられた第２大入賞口とを備える弾球遊技機において、
前記主制御装置は、
始動口への入球により乱数を抽出し、当否判定を行うと共に、該当否判定で大当りとなった場合には、当り図柄を決定する当否判定手段と、
前記当否判定で大当りになると、前記当り図柄に応じた開放パターンに従い、１または複数のラウンドにわたり大当り遊技を行い、各ラウンドでは、前記第１大入賞口又は前記第２大入賞口を開放すると共に、前記第２大入賞口を開放する際、予め定められた開閉パターンに従い前記開閉部材により前記確変口を開閉する特定遊技手段と、
前記大当り遊技中に前記確変口への入球が生じると、当該大当り遊技終了後の遊技状態を、前記当否判定で当る確率が上昇する確変状態に設定する確変設定手段と、
前記遊技の進行状況に関する前記コマンドを、前記サブ制御装置に送信する送信手段と、を備え、
前記特定遊技手段は、前記第２大入賞口を開放する際、その開放タイミング、又は、前記確変口の開閉タイミングを調整することで、該第２大入賞口を、前記確変口への入球が困難或いは不可能な移行不能状態と、前記確変口への入球が容易な確変移行状態のいずれかに設定し、前記大当り遊技を行う際、該大当り遊技に係る前記開放パターンに従い、前記第２大入賞口を開放する際に、該第２大入賞口を前記移行不能状態と前記確変移行状態のいずれかに設定し、
前記開放パターンとして、少なくとも１ラウンド目において前記第２大入賞口が前記確変移行状態となる突確パターンと、２ラウンド目以降のラウンドにおいて前記第２大入賞口が前記確変移行状態となる昇格パターンとを有し、
前記サブ制御装置は、前記突確パターンの前記大当り遊技が行われる場合には、前記コマンドに応じて、該大当り遊技の開始前に前記確変状態への移行を示唆する前記演出を行うと共に、前記昇格パターンの前記大当り遊技が行われる場合には、前記コマンドに応じて、当該大当り遊技の途中に前記確変状態への移行を示唆する前記演出を行うこと、
を特徴とする弾球遊技機。
【請求項４】
請求項３に記載の弾球遊技機において、
前記当否判定手段は、さらに、前記当否判定において小当りとなったか否かを判定し、
前記特定遊技手段は、前記当否判定で前記小当りになると、予め定められた回数にわたり、前記第２大入賞口を入球が容易となる程度の時間にわたり開放すると共に、前記第２大入賞口の開放の際には、前記第２大入賞口を前記移行不能状態として前記開閉パターンに従い前記開閉部材により前記確変口を開閉し、
前記サブ制御装置は、前記小当りが生じた場合には、前記コマンドに応じて、前記第２大入賞口の開放が開始される前に、前記確変状態への移行を示唆する前記演出を行うこと、
を特徴とする弾球遊技機。
【請求項５】
請求項１から請求項４のうちのいずれか１項に記載の弾球遊技機において、
前記送信手段は、前記確変口への入球の示す前記コマンドを前記サブ制御装置に送信し、
前記サブ制御装置は、前記第２大入賞口が前記確変移行状態となる前記大当り遊技において、前記コマンドに基づき、前記第２大入賞口が前記確変移行状態となるラウンドで前記確変口への入球が生じなかったことを検出すると、前記確変状態への移行に失敗したことを示唆する前記演出を行うこと、
を特徴とする弾球遊技機。
【発明の詳細な説明】
【技術分野】
【０００１】
本発明は、弾球遊技機に関する。
【背景技術】
【０００２】
近年、第１大入賞口と、内部に確変口が設けられた第２大入賞口を備え、大当り遊技中、第２大入賞口の開放時に確変口に遊技球が入球すると確変機能が作動する弾球遊技機が知られている（例えば、特許文献１）。
【０００３】
このような弾球遊技機によれば、大当り遊技中に第２大入賞口の開放時間を調整することで、実質的な確変状態への突入率や継続率を変化させることができ、より多様な遊技を提供することが可能となる。
【０００４】
一方、大当り遊技の演出を行うこと無く確変状態に移行し、突然に確変状態への移行を報知する突確演出を行う弾球遊技機や（例えば、特許文献２）、大当り遊技中、通常大当りを確変大当りに昇格させる昇格演出を行う弾球遊技機が知られている（例えば、特許文献３）。
【先行技術文献】
【特許文献】
【０００５】
【特許文献１】特開２０１２−２４５１７３号公報
【特許文献２】特開２００５−１６０７３８号公報
【特許文献３】特開２００７−２１５８６５号公報
【発明の概要】
【発明が解決しようとする課題】
【０００６】
突確演出や昇格演出を行うことにより、弾球遊技機の演出力を高めることができ、これらの演出を行う弾球遊技機は人気を博している。しかしながら、第２大入賞口に確変口が設けられたタイプの弾球遊技機においては、このような演出が行われておらず、確変状態への移行に関しての演出が単調となっていた。
【０００７】
本願発明は上記課題に鑑みてなされたものであり、第２大入賞口に確変口が設けられたタイプの弾球遊技機において、確変状態への移行について多様な演出を行うことを目的とする。
【課題を解決するための手段】
【０００８】
上記課題に鑑みてなされた請求項１に係る発明は、遊技の進行を制御する主制御装置と、主制御装置からのコマンドに応じて演出を行うサブ制御装置と、第１大入賞口と、確変口が設けられた第２大入賞口とを備える弾球遊技機において、主制御装置は、始動口への入球により乱数を抽出し、当否判定を行うと共に、該当否判定で大当りとなった場合には、当り図柄を決定する当否判定手段と、当否判定で大当りになると、当り図柄に応じた開放パターンに従い、１または複数のラウンドにわたり大当り遊技を行い、各ラウンドでは、第１大入賞口又は第２大入賞口を開放すると共に、第２大入賞口を開放する際には、入球が困難となる程度に短時間開放する移行不能状態とするか、或いは、入球が容易となる程度に長時間開放する確変移行状態とする特定遊技手段と、大当り遊技中に確変口への入球が生じると、当該大当り遊技終了後の遊技状態を、当否判定で当る確率が上昇する確変状態に設定する確変設定手段と、遊技の進行状況に関するコマンドを、サブ制御装置に送信する送信手段と、を備え、開放パターンとして、少なくとも１ラウンド目において第２大入賞口が確変移行状態となる突確パターンと、２ラウンド目以降のラウンドにおいて第２大入賞口が確変移行状態となる昇格パターンとを有し、サブ制御装置は、突確パターンの大当り遊技が行われる場合には、コマンドに応じて、該大当り遊技の開始前に確変状態への移行を示唆する演出を行うと共に、昇格パターンの大当り遊技が行われる場合には、コマンドに応じて、当該大当り遊技の途中に確変状態への移行を示唆する演出を行うこと、を特徴とする。
【０００９】
このような構成によれば、突確パターンの大当り遊技が行われる大当りに当選した場合には、大当り遊技が開始される前に確変状態への移行を示唆する演出がなされる。
このため、該演出がなされた後に大当り遊技が開始され、１ラウンド目で確変移行状態となった第２大入賞口に遊技球が入球し、さらに、該遊技球が確変口に入球して大当り遊技後に確変状態に移行することが決定すると、遊技者に対し、該演出に起因して突然に確変状態への移行が生じたかのような印象を与えることが可能となる。
【００１０】
また、昇格パターンの大当り遊技が行われている場合には、大当り遊技の途中で確変状態への移行を示唆する演出が行われ、これにより、確変状態への移行が困難或いは不可能な大当り遊技が、確変状態への移行が生じうる大当りに昇格したかのような印象を与えることが可能となる。
【００１１】
したがって、請求項１に係る発明によれば、突然に確変状態を付与する演出や、確変状態に移行しない大当りに当選したと見せかけて確変状態を付与する演出を行うことができ、確変状態への移行について多様な演出を行うことが可能となる。
【００１２】
また、請求項２に記載されているように、当否判定手段は、さらに、当否判定において小当りとなったか否かを判定し、特定遊技手段は、当否判定で小当りになると、予め定められた回数にわたり第２大入賞口の短時間開放を行い、サブ制御装置は、小当りが生じた場合には、コマンドに応じて、第２大入賞口の短時間開放が開始される前に、確変状態への移行を示唆する演出を行っても良い。
【００１３】
このような構成によれば、小当りに当選した場合であっても、第２大入賞口の短時間開放がなされる前（小当り遊技が行われる前）に確変状態への移行を示唆する演出がなされる。このため、演出で確変状態への移行が示唆されたが、突確パターンの大当りに当選せず、単に小当りに当選したのみで、確変状態には移行できないという遊技展開を設けることができる。
【００１４】
これにより、遊技展開のバリエーションを増やし、遊技の興趣を高めることや、演出で確変状態への移行が示唆された後、突確パターンの大当り遊技が開始された場合の遊技者の喜びを大きくすることができる。
【００１５】
また、小当りに当選した場合であっても、確変状態への移行を示唆する演出を行うことができるため、該演出の発生頻度を増やすことが可能となり、その結果、適度な頻度で該演出を行うことができるため、遊技の興趣を高めることができる。
【００１６】
また、上記課題に鑑みてなされた請求項３に係る発明は、遊技の進行を制御する主制御装置と、主制御装置からのコマンドに応じて演出を行うサブ制御装置と、第１大入賞口と、確変口及び該確変口を開閉する開閉部材が設けられた第２大入賞口とを備える弾球遊技機において、主制御装置は、始動口への入球により乱数を抽出し、当否判定を行うと共に、該当否判定で大当りとなった場合には、当り図柄を決定する当否判定手段と、当否判定で大当りになると、当り図柄に応じた開放パターンに従い、１または複数のラウンドにわたり大当り遊技を行い、各ラウンドでは、第１大入賞口又は第２大入賞口を開放すると共に、第２大入賞口を開放する際、予め定められた開閉パターンに従い開閉部材により確変口を開閉する特定遊技手段と、大当り遊技中に確変口への入球が生じると、当該大当り遊技終了後の遊技状態を、当否判定で当る確率が上昇する確変状態に設定する確変設定手段と、遊技の進行状況に関するコマンドを、サブ制御装置に送信する送信手段と、を備え、特定遊技手段は、第２大入賞口を開放する際、その開放タイミング、又は、確変口の開閉タイミングを調整することで、該第２大入賞口を、確変口への入球が困難或いは不可能な移行不能状態と、確変口への入球が容易な確変移行状態のいずれかに設定し、大当り遊技を行う際、該大当り遊技に係る開放パターンに従い、第２大入賞口を開放する際に、該第２大入賞口を移行不能状態と確変移行状態のいずれかに設定し、開放パターンとして、少なくとも１ラウンド目において第２大入賞口が確変移行状態となる突確パターンと、２ラウンド目以降のラウンドにおいて第２大入賞口が確変移行状態となる昇格パターンとを有し、サブ制御装置は、突確パターンの大当り遊技が行われる場合には、コマンドに応じて、該大当り遊技の開始前に確変状態への移行を示唆する演出を行うと共に、昇格パターンの大当り遊技が行われる場合には、コマンドに応じて、当該大当り遊技の途中に確変状態への移行を示唆する演出を行うこと、を特徴とする。
【００１７】
このような構成によれば、突確パターンの大当り遊技が行われる大当りに当選した場合には、大当り遊技が開始される前に確変状態への移行を示唆する演出がなされる。
このため、該演出がなされた後に大当り遊技が開始され、１ラウンド目で確変移行状態となった第２大入賞口に遊技球が入球し、さらに、該遊技球が確変口に入球して大当り遊技後に確変状態に移行することが決定すると、遊技者に対し、該演出に起因して突然に確変状態への移行が生じたかのような印象を与えることが可能となる。
【００１８】
また、昇格パターンの大当り遊技が行われている場合には、大当り遊技の途中で確変状態への移行を示唆する演出が行われ、これにより、確変状態への移行が困難或いは不可能な大当り遊技が、確変状態への移行が生じうる大当りに昇格したかのような印象を与えることが可能となる。
【００１９】
このように、請求項３に係る発明によれば、突然に確変状態を付与する演出や、確変状態に移行しない大当りに当選したと見せかけて確変状態を付与する演出を行うことができ、確変状態への移行について多様な演出を行うことが可能となる。
【００２０】
また、請求項１と比べて、確変状態に移行させない場合でも第２大入賞口を長時間開放させることが可能になるため、賞球をより多く獲得することができる。
また、請求項４に記載されているように、当否判定手段は、さらに、当否判定において小当りとなったか否かを判定し、特定遊技手段は、当否判定で小当りになると、予め定められた回数にわたり、第２大入賞口を入球が容易となる程度の時間にわたり開放すると共に、第２大入賞口の開放の際には、第２大入賞口を移行不能状態として開閉パターンに従い開閉部材により確変口を開閉し、サブ制御装置は、小当りが生じた場合には、コマンドに応じて、第２大入賞口の開放が開始される前に、確変状態への移行を示唆する演出を行っても良い。
【００２１】
このような構成によれば、小当りに当選した場合であっても、第２大入賞口の短時間開放がなされる前（小当り遊技が行われる前）に確変状態への移行を示唆する演出がなされる。このため、演出で確変状態への移行が示唆されたが、突確パターンの大当りに当選せず、単に小当りに当選したのみで、確変状態には移行できないという遊技展開を設けることができる。
【００２２】
これにより、遊技展開のバリエーションを増やし、遊技の興趣を高めることや、演出で確変状態への移行が示唆された後、突確パターンの大当り遊技が開始された場合の遊技者の喜びを大きくすることができる。
【００２３】
また、小当りに当選した場合であっても、確変状態への移行を示唆する演出を行うことができるため、該演出の発生頻度を増やすことが可能となり、その結果、適度な頻度で該演出を行うことができるため、遊技の興趣を高めることができる。
【００２４】
また、第２大入賞口が確変移行状態となる大当り遊技において、遊技球が確変口に入球しない可能性もある。
そこで、請求項５に係る弾球遊技機では、送信手段は、確変口への入球の示すコマンドをサブ制御装置に送信し、サブ制御装置は、第２大入賞口が確変移行状態となる大当り遊技において、コマンドに基づき、第２大入賞口が確変移行状態となるラウンドで確変口への入球が生じなかったことを検出すると、確変状態への移行に失敗したことを示唆する演出を行う。
【００２５】
こうすることにより、第２大入賞口が確変移行状態となる大当り遊技で遊技球が確変口に入球しなかった場合には、遊技者に確変状態に移行しない旨が報知されるため、遊技者に対し、大当り遊技後に確変状態に移行するとの誤解を与えることを防止できる。
【図面の簡単な説明】
【００２６】
【図１】パチンコ機の正面図である。
【図２】パチンコ機の遊技盤の正面図である。
【図３】遊技盤に設けられた確変決定装置の正面図である。
【図４】パチンコ機の裏面図である。
【図５】パチンコ機の電気的構成を示すブロック図である。
【図６】第１実施形態における大当り，小当りの種類を示す表と、第２大入賞口の開放タイミングと確変口の開閉タイミングを示すタイミングチャートである。
【図７】第１実施形態における各種類の大当りに対応する大当り遊技における第１，第２大入賞口の開放パターンを示す説明図である。
【図８】第１実施形態における小当りの際の第２大入賞口の開放パターンを示す説明図である。
【図９】第１実施形態におけるメインルーチンについてのフローチャートである。
【図１０】第１実施形態における始動口入賞確認処理についてのフローチャートである。
【図１１】第１実施形態における当否判定処理についてのフローチャートである。
【図１２】第１実施形態における当否判定処理についてのフローチャートである。
【図１３】第１実施形態における当否判定処理についてのフローチャートである。
【図１４】第１実施形態における当否判定処理についてのフローチャートである。
【図１５】第１実施形態における大当り遊技処理についてのフローチャートである。
【図１６】第１実施形態における大当り遊技処理についてのフローチャートである。
【図１７】第１実施形態における大当り遊技処理についてのフローチャートである。
【図１８】第１実施形態における大当り遊技処理についてのフローチャートである。
【図１９】第１実施形態における大当り遊技処理についてのフローチャートである。
【図２０】第１実施形態における８Ｒ確変確定大当りの当選時や、アクシデント演出における演出画面についての説明図である。
【図２１】第１実施形態におけるアクシデント演出や昇格演出における演出画面についての説明図である。
【図２２】第１実施形態における突確演出における演出画面についての説明図である。
【図２３】第１実施形態における図柄変動開始処理についてのフローチャートである。
【図２４】第１実施形態における図柄停止処理についてのフローチャートである。
【図２５】第１実施形態における大当り演出処理１についてのフローチャートである。
【図２６】第１実施形態における大当り演出処理２についてのフローチャートである。
【図２７】第２実施形態における第２大入賞口と開放タイミングと確変口の開閉タイミングを示すタイミングチャートである。
【図２８】第２実施形態における突確演出における演出画面についての説明図である。
【発明を実施するための形態】
【００２７】
以下、本発明の実施形態について図面を用いて説明する。なお、本発明の実施の形態は、下記の実施形態に何ら限定されることはなく、本発明の技術的範囲に属する限り種々の形態を採りうる。
【００２８】
［構成の説明］
（１）全体の構成について
図１に示すように、本実施形態のパチンコ機５０は、縦長の固定外郭保持枠をなす外枠５１にて各構成を保持する構造を有している。外枠５１の左側上下にはヒンジ５３が設けられており、ヒンジ５３により、板ガラス６１が嵌め込まれた前枠（ガラス枠）５２及び後述の内枠が、外枠５１に対し開閉可能に保持される。また、前枠５２の板ガラス６１の奥には、内枠に保持された遊技盤１（図２）が設けられている。
【００２９】
前枠５２の上部の左右両側にはスピーカ６６が設置されており、これらにより遊技音が出力され、遊技の趣向性を向上させる。また、前枠５２には、遊技状態に応じて発光する枠側装飾ランプ６５のほか、遊技の異常を報知するＬＥＤが設けられている。
【００３０】
前枠５２の下部には、上皿５５と下皿６３とが一体に形成されている。また、下皿６３の右側には発射ハンドル６４が設けられており、該発射ハンドル６４を時計回りに操作することにより発射装置が作動し、上皿５５から供給された遊技球が遊技盤１に向けて発射される。
【００３１】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、遊技ＳＷ６７が設けられている。
【００３２】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，精算表示装置５９が設けられている。
【００３３】
なお、図１の４９は、前枠５２及び前記内枠を外枠５１にロックするシリンダ錠であり、該シリンダ錠４９に所定の鍵を挿入して鍵を時計回りに操作すると、内枠が開放され、反時計回りに操作すると、前枠５２が開放される。
【００３４】
また、図２に示すように、遊技盤１には、外レール２ａと内レール２ｂとによって囲まれた略円形の遊技領域３が形成されている。遊技領域３には、その中央部にセンターケース５が装着され、センターケース５に向かって右横には、普通図柄作動ゲート２２が設置されている。普通図柄作動ゲート２２を遊技球が通過すると、普通図柄の当否抽選用の複数種類の乱数が抽出され、抽出された乱数に基づく当否判定（普通図柄抽選）が行われる。
【００３５】
センターケース５の直下には、遊技球の入球に起因して第１特別図柄（第１特図或いは特図１とも記載）の変動表示を伴う大当り抽選が行われる第１始動口１１が設置されている。また、センターケース５の右横であって、普通図柄作動ゲート２２の直下には、遊技球の入球に起因して第２特別図柄（第２特図或いは特図２とも記載）の変動表示を伴う大当り抽選が行われる第２始動口１２が設置されている。
【００３６】
第１始動口１１は、左打ち（センターケース５の左側を狙い打つこと）により発射された遊技球が主に流下する領域（左打ち領域）に配置されていると共に、第２始動口１２は、右打ち（センターケース５の右側を狙い打つこと）により発射された遊技球が主に流下する領域（右打ち領域）に配置されている。
【００３７】
第１始動口１１は、常時遊技球が入球可能に構成されているが、第２始動口１２は、普通図柄抽選での当選により開放される普通電動役物として構成されており、開放時のみ入球可能となっている。なお、閉鎖時であっても、稀に入球可能な構成としても良い。
【００３８】
第１始動口１１に遊技球が入球すると、第１特図に対応する複数種類の乱数が抽出され、第１保留記憶として記憶されると共に、第２始動口１２に遊技球が入球すると、第２特図に対応する複数種類の乱数が抽出され、第２保留記憶として記憶される。
【００３９】
普通電動役物として構成された第２始動口１２は、普通図柄抽選での当選時に、所定時間の開放が行われる。
また、センターケース５の下方においては、第１始動口１１の下側に、大当り抽選で当ると行われる大当り遊技の際に開放される特別電動役物からなる第１大入賞口２０が設けられており、第１始動口１１の右側に、該特別電動役物からなる第２大入賞口２１が設けられている。
【００４０】
なお、第１大入賞口２０は、右打ちがなされた場合であっても左打ちがなされた場合であっても比較的入球容易な位置に配されているが、第２大入賞口２１は、右打ちされた遊技球が主に入球する位置に配されている。
【００４１】
また、第２大入賞口２１の下側には、大当り遊技中に第２大入賞口２１に入球した遊技球が誘導され、大当り遊技終了後に確変状態（当否判定で当る確率が上昇した状態）となることを決定するための確変決定装置１３が配置されている。なお、確変決定装置１３の詳細については、後述する。
【００４２】
遊技盤１における向かって左側の領域には、７セグメントの第１特図表示装置９及び第２特図表示装置１０と、４個のＬＥＤからなる第１特図保留数表示装置２３及び第２特図保留数表示装置２４が設置されている。また、遊技盤１における向かって右下の領域には、２個のＬＥＤからなる普通図柄表示装置７と、４個のＬＥＤからなる普図保留数表示装置８が設置されている。
【００４３】
図２に示す遊技盤１のセンターケース５には、中央に演出図柄表示装置６（全体の図示は省略）のＬＣＤパネルが配設され、ＬＣＤパネルの画面上では、演出図柄の変動表示等を行うことで、第１，第２特図に対応する大当り抽選の結果を報知する図柄演出が行われる。
【００４４】
また、センターケース５には、周知のものと同様にワープ入口、ワープ樋、ステージ等が設けられている。
なお、遊技盤１の遊技領域３には多数の遊技釘が植設されており、盤面最下部にはアウト口が設けられている。
【００４５】
次に、確変決定装置１３の構成について説明する。
図３に記載されているように、確変決定装置１３は、第２大入賞口２１に入球した遊技球が排出される排出口１３ａと、確変状態への移行を決定するための確変口１５と、確変口１５を閉鎖或いは開放するシャッター１４を備える。
【００４６】
既に述べたように、大当り遊技中に第２大入賞口２１に入球した遊技球は、排出口１３ａから排出される。確変口１５が閉鎖されているときに排出口１３ａから遊技球が排出されると、該遊技球はシャッター１４によりはずれ口１３ｂに誘導される（図３（ａ）参照）。一方、確変口１５が開放されているときに排出口１３ａから遊技球が排出されると、該遊技球は確変口１５に入球し、大当り遊技終了後に確変状態となることが決定される（図３（ｂ）参照）。
【００４７】
また、図４に示すように、パチンコ機５０の裏側は、遊技盤１を脱着可能に取付ける内枠７０が外枠５１に収納された構成となっている。内枠７０は、前枠５２と同様、一方の側縁（図４に向かって右側）の上下位置が外枠５１に設けられたヒンジ５３に結合され、開閉可能に設置されている。内枠７０には、遊技球流下通路が形成されており、上方（上流）から球タンク７１、タンクレール７２、払出ユニット７３が設けられ、払出ユニット７３の中には払出装置が設けられている。この構成により、遊技盤１の入賞口に遊技球が入賞すると、球タンク７１に貯留されている所定個数の遊技球（賞球）が払出装置から払い出され、流下通路を通り上皿５５に払い出される。また、本実施形態では、払出装置は、球貸ボタン５７の操作に応じて遊技球（貸球）を払い出すよう構成されている。
【００４８】
また、パチンコ機５０の裏側には、主制御装置８０，払出制御装置８１，演出図柄制御装置８２，サブ統合制御装置８３，発射制御装置，電源基板８５が設けられている。主制御装置８０，演出図柄制御装置８２，サブ統合制御装置８３は、遊技盤１に設けられ、払出制御装置８１，発射制御装置，電源基板８５は、内枠７０に設けられている。なお、図４では発射制御装置が記載されていないが、発射制御装置は、払出制御装置８１の奥側（遊技盤１側）に配されている。
【００４９】
また、球タンク７１の右側には、外部接続端子板７８が設けられており、外部接続端子板７８により、遊技状態や遊技結果を示す信号が図示しないホールコンピュータへ送られる。
【００５０】
（２）電気的構成について
次に、パチンコ機５０の電気的構成について説明する。このパチンコ機５０は、図５のブロック図に示すとおり、主制御装置８０を中心にして構成されている。なお、このブロック図には、単に信号を中継するいわゆる中継基板や電源基板等は記載されていない。また、詳細な図示は省略するが、主制御装置８０，払出制御装置８１，演出図柄制御装置８２，サブ統合制御装置８３のいずれもＣＰＵ，ＲＯＭ，ＲＡＭ，入力ポート，出力ポート等を備えている。また、発射制御装置８４，電源基板にはＣＰＵ，ＲＯＭ，ＲＡＭは設けられていないが、これに限るわけではなく、発射制御装置８４等にＣＰＵ，ＲＯＭ，ＲＡＭ等を設けてもよい。
【００５１】
主制御装置８０には、第１始動口１１に入球した遊技球を検出する第１始動口ＳＷ１１ａ、第２始動口１２に入球した遊技球を検出する第２始動口ＳＷ１２ａ、普通図柄作動ゲート２２に進入した遊技球を検出する普通図柄作動ＳＷ２２ａ、一般入賞口２５〜２７に入球した遊技球を検出する一般入賞口ＳＷ２５ａ，２７ａ等からの検出信号が入力される。
【００５２】
また、このほかにも、第１大入賞口２０に入球した遊技球を計数するための第１カウントＳＷ２０ａ、第２大入賞口２１に入球した遊技球を計数するための第２カウントＳＷ２１ａ、確変決定装置１３に設けられた確変口１５に入球した遊技球を検出する確変口ＳＷ１５ａが入力される。
【００５３】
主制御装置８０は、搭載しているプログラムに従って動作して、上述の検出信号等に基づいて遊技の進行に関わる各種のコマンドを生成し、払出制御装置８１及びサブ統合制御装置８３に出力する。
【００５４】
また、主制御装置８０は、図柄表示装置中継端子板９０を介して接続されている第１特図表示装置９，第２特図表示装置１０，第１特図保留数表示装置２３，第２特図保留数表示装置２４，普通図柄表示装置７，普図保留数表示装置８の表示を制御する。
【００５５】
さらに、主制御装置８０は、第１大入賞口ソレノイド２０ｂを制御することで第１大入賞口２０の開閉を制御すると共に、第２大入賞口ソレノイド２１ｂを制御することで第２大入賞口２１の開閉を制御し、普電役物ソレノイド１２ｂを制御することで第２始動口１２の開閉を制御する。
【００５６】
また、シャッターソレノイド１４ａを制御することで、シャッター１４を制御し、確変決定装置１３に設けられた確変口１５の開閉状態を切り替える。
主制御装置８０からの出力信号は試験信号端子にも出力されるほか、図柄変動や大当り等の管理用の信号が外部接続端子板７８に出力されてホールコンピュータ８７に送られる。
【００５７】
主制御装置８０と払出制御装置８１とは双方向通信が可能である。
払出制御装置８１は、主制御装置８０から送られてくるコマンドに応じて払出モータ３０を稼働させて賞球を払い出させる。本実施例においては、賞球として払い出される遊技球を計数するための払出ＳＷ３１の検出信号は払出制御装置８１に入力され、払出制御装置８１で賞球の計数が行われる構成を用いる。この他にも主制御装置８０と払出制御装置８１に払出ＳＷ３１の検出信号が入力され、主制御装置８０と払出制御装置８１の双方で賞球の計数を行う構成を用いることも考えられる。
【００５８】
なお、払出制御装置８１は、ガラス枠閉鎖ＳＷ４５，内枠閉鎖ＳＷ４６，球切れＳＷ３３，払出ＳＷ３１，満杯ＳＷ３２からの信号が入力され、満杯ＳＷ３２により下皿６３が満タンであることを示す信号が入力された場合や、球切れＳＷ３３により球タンク７１に遊技球が少ないあるいは無いことを示す信号が入力された場合には、払出モータ３０を停止させ、賞球の払出動作を停止させる。また、満杯ＳＷ３２，球切れＳＷ３３も、その状態が解消されるまで信号を出力し続ける構成になっており、払出制御装置８１は、その信号が出力されなくなることに起因して払出モータ３０の駆動を再開させる。
【００５９】
また、払出制御装置８１は、ＣＲユニット端子板３４を介してＣＲユニット５６と交信することで払出モータ３０を作動させ、貸し球を排出する。払出された貸し球は払出ＳＷ３１に検出され、検出信号は払出制御装置８１に入力される。また、ＣＲユニット端子板３４は、精算表示装置５９とも双方向通信可能に接続されており、精算表示装置５９には、遊技球の貸出しを要求するための球貸ボタン５７、精算を要求するための精算ボタン５８が設けられている。
【００６０】
また、払出制御装置８１は、外部接続端子板７８を介して賞球に関する情報、枠（内枠７０，前枠５２）の開閉状態を示す情報などをホールコンピュータ８７に送信するほか、発射制御装置８４に対して発射停止信号を送信する。
【００６１】
なお、本実施例では遊技球を払出す構成であるが、入賞等に応じて発生した賞球を払い出さずに記憶する封入式の構成にしても良い。
発射制御装置８４は、発射モータ４０を制御して、遊技領域３に遊技球を発射させる。
【００６２】
なお、発射制御装置８４には、払出制御装置８１以外に、発射ハンドル６４からの回動量信号、タッチＳＷ３８からのタッチ信号、発射停止ＳＷ３９から発射停止信号が入力される。
【００６３】
回動量信号は、遊技者が発射ハンドル６４を操作することで出力され、タッチ信号は遊技者が発射ハンドル６４を触ることで出力され、発射停止スイッチ信号は、遊技者が発射停止ＳＷ３９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００６４】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。
【００６５】
そして、音声制御装置としての機能部は、音声制御用のデータに基づいて音ＬＳＩを作動させることによってスピーカ６６からの音声出力を制御し、ランプ制御装置としての機能部は、ランプ制御用のデータに基づいてランプドライバを作動させることによって各種ＬＥＤ、ランプ２８を制御する。
【００６６】
また、サブ統合制御装置８３には、遊技ＳＷ６７が接続されており、遊技者が遊技ＳＷ６７を操作した際には、その信号がサブ統合制御装置８３に入力される。
サブ統合制御装置８３と演出図柄制御装置８２とは双方向通信が可能である。
【００６７】
演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、疑似図柄の変動表示（図柄演出）等の演出画面を表示させる。
【００６８】
［動作の説明］
［第１実施形態］
（１）概要について
次に、第１実施形態におけるパチンコ機５０の動作について説明する。
【００６９】
本パチンコ機５０では、大当り遊技中、開放された第２大入賞口２１に遊技球が入球し、さらに、該遊技球が確変決定装置１３の確変口１５に入球すると、確変機能が作動し、大当り遊技後の遊技状態が当否判定で当る確率が高くなる確変状態となる。なお、確変状態は、所定回数の当否判定が行われるまで継続しても良いし、次回の大当りまで継続しても良い。
【００７０】
また、パチンコ機５０は、大当りの種類として、大当り遊技のラウンド数が８Ｒである８Ｒ確変確定大当り，８Ｒ突確大当り，８Ｒ昇格大当りＡ，８Ｒ昇格大当りＢ，８Ｒ通常大当りと、ラウンド数が４Ｒである４Ｒ通常大当りと、ラウンド数が２Ｒである２Ｒ突確大当りが設けられている。さらに、パチンコ機５０は、第２大入賞口２１が２回開放される小当りが設けられている（図６（ａ），（ｂ）参照）。なお、大当りの種類は、当り図柄に応じて決定される。
【００７１】
このようにすることにより、第１大入賞口２０と第２大入賞口２１の組合せはラウンド数で規定されているが、１Ｒ，２Ｒ，４Ｒ，８Ｒと第２大入賞口２１が開放するラウンドが複数設定されているため、確変機能の作動の可能性を持たせつつ、ラウンド数が異なる複数の大当り遊技を備えることになる。
【００７２】
単純に８Ｒのみ第２大入賞口２１が開放するとなると、４Ｒ大当りが発生した地点で確変口１５に入球が不可能になってしまい、第２大入賞口２１の開閉パターンで確変機能の作動率を設定する遊技性とはまた異なるものとなる。無論、ラウンド数、開閉パターン両方で確変機能の作動率を設定するものも考えられる。いずれにしても、大当り図柄にて開放パターンやラウンド数は決定されることになるため、大当り図柄の選択率によって確変機能の作動率を設定する事が可能となる。
【００７３】
大当り遊技中、各ラウンドでは、第１，第２大入賞口２０，２１のうちの一方が開放され、各大入賞口は、２０秒間にわたり開放される長時間開放と、０．１秒間にわたり開放される短時間開放の一方の態様で開放される。
【００７４】
また、第２大入賞口２１の開放時には、シャッター１４が予め定められた開閉パターンで動作し、確変口１５が開閉される。具体的には、確変口１５は、長時間開放される場合も短時間開放される場合も、第２大入賞口２１の開放開始と同時に開閉制御が開始され、一瞬開放されてすぐに閉鎖され、その後、数秒の間隔を開けて、予め定められた期間にわたり開放される（図６（ｃ）参照）。
【００７５】
このため、第２大入賞口２１が長時間開放されると、長期にわたりシャッター１４が開放され、確変口１５への入球が容易になり、確変機能の作動が可能となる。
一方、第２大入賞口２１が短時間開放された場合には、仮に第２大入賞口２１に遊技球が入球しても確変口１５に入球する確率は非常に低いか、或いは、確変口１５への入球が不可能となり、確変機能の作動が困難或いは不可能となる。
【００７６】
なお、非常に低い確率だが、短時間開放中に確変口１５に入球した場合は、プレミア昇格演出などを行って、望外の確変機能の作動であることを強調して、遊技者の喜びを増大させることが考えられる。
【００７７】
図７は、各種類の大当りに起因して行われる大当り遊技中の第１，第２大入賞口２０，２１の開放パターンを示している。
８Ｒ確変確定大当り，８Ｒ突確大当り，８Ｒ昇格大当りＡ，８Ｒ昇格大当りＢ，８Ｒ通常大当りは、３，５〜７Ｒにて第１大入賞口２０が長時間開放され、他のラウンドでは、第２大入賞口２１の長時間開放或いは短時間開放がなされる。
【００７８】
そして、８Ｒ確変確定大当りでは、１，２，４，８Ｒで、８Ｒ突確大当りでは１，２Ｒで、８Ｒ昇格大当りＡでは４Ｒで、８Ｒ昇格大当りＢでは８Ｒで第２大入賞口２１が長時間開放される。このため、これらの大当りは、実質的に確変機能が作動する大当りとなる。
【００７９】
一方、８Ｒ通常大当りでは、１，２，４，８Ｒにて第２大入賞口２１が短時間開放され、第２大入賞口２１の長時間開放がなされないため、大当り遊技中に第２大入賞口２１に入球する可能性は極めて低い（或いは不可能）であり、通常大当りは、実質的に確変機能が作動しない大当りとなる。
【００８０】
また、４Ｒ通常大当りでは、３Ｒにて第１大入賞口２０が長時間開放され、１，２，４Ｒにて第２大入賞口２１が短時間開放されるため、実質的に確変機能が作動しない大当りとなる。
【００８１】
また、２Ｒ突確大当りでは、第１大入賞口２０は開放されず、１，２Ｒにて第２大入賞口２１が長時間開放されるため、実質的に確変機能が作動する大当りとなる。
また、図８は、小当りが生じた際の第１，第２大入賞口２０，２１の開放パターンを示している。
【００８２】
小当りでは、一例として２回にわたり第２大入賞口２１が０．１秒間程度開放される。この時、第２大入賞口２１の開放と並行して、上述した開閉パターンで確変口１５を開閉しても良い。なお、小当りが生じた際には、条件装置等が作動していないため、仮に確変口１５への入球が生じたとしても、確変機能は作動しない。
【００８３】
また、小当りが生じた際に、第１大入賞口２０を開放させても良い。その場合、例えば、第１大入賞口２０を１３回短時間開放させる小当り遊技を行い、対応する大当り遊技時は、第１大入賞口２０を１３回（１３Ｒ）開放させた後に第２大入賞口２１を確変口１５へ入球可能に開放させることが考えられる。このようにすれば、第１大入賞口２０が所定回数、短時間開放動作をしている間は確変に移行できるか否かの演出を行うことができ（１３回の開放があるので演出時間が十分にある）、演出で確変機能を作動させるチャンスを得た場合は第２大入賞口２１が１４Ｒ目に開放し、演出で確変機能を作動させるチャンスを得られなかった場合（小当り）はチャンス獲得失敗演出を行うことができる。本実施例と異なり、小当り遊技中、または大当り遊技中に確変機能作動へのチャンスが付与されるか否かの演出が可能となる。
【００８４】
この場合、第１大入賞口２０が１３回開放した後に第２大入賞口２１が開放動作するか否かのみに応じて演出が可能なので、大当り遊技中に第２大入賞口２１を短時間開放するパターンや、確変口に入球しないように開放タイミングをずらした開放パターンなどを備える必要なく演出が可能となる。無論、第２大入賞口２１に短時間開放するパターンを備えてもよく、確変機能作動へのチャンスを得ても、移行させやすい場合と移行させにくい場合があり、より楽しむポイントを増やすことができる。
【００８５】
また、大当り遊技の第１大入賞口２０と第２大入賞口２１の組合せも１パターンで可能であり（１Ｒ〜１３Ｒは第１大入賞口２０，１４Ｒ〜１５Ｒは第２大入賞口２１といった組合せ）、普通の大当り遊技の時は第１大入賞口２０を長時間開放して賞球を得やすくし、第２大入賞口２１の開放パターンにて確変機能の作動の調整を行ない、突確パターンでの大当り遊技の時は上述のように第１大入賞口２０を短時間開放して賞球を殆ど発生させないようにすることにより、遊技者に大当り遊技を介さずに確変口１５に入球させるチャンスが付与されたように体感させることが可能となる。
【００８６】
また、本パチンコ機５０には、普通図柄抽選の当選確率を上昇させる、普通図柄抽選で当選した際の第２始動口１２の開放時間を長くする、普通図柄抽選がなされた際の普通図柄表示装置７での変動表示時間を短くする等の方法により、第２始動口１２への入球を容易にする開放延長機能（時短機能）が設けられている。
【００８７】
そして、当り図柄に応じて、開放延長機能が作動するか否かや、開放延長機能の継続回数が決定される。なお、開放延長機能が作動している状態を、開放延長状態或いは時短状態と記載する。
【００８８】
以下では、第１実施形態におけるパチンコ機５０の動作について、詳しく説明する。
（２）メインルーチンについて
まず、パチンコ機５０の主制御装置８０におけるメインルーチンについて、図９に記載のフローチャートを用いて説明する。なお、このメインルーチンは、２ｍｓ周期のタイマ割り込み処理として起動される。
【００８９】
Ｓ１０では、主制御装置８０は、正常なタイマ割り込みによりメインルーチンが起動されたか否かを判定し、肯定判定が得られた場合には（Ｓ１０：Ｙｅｓ）、Ｓ２０に処理を移行すると共に、否定判定が得られた場合には（Ｓ１０：Ｎｏ）、Ｓ１５に処理を移行する。
【００９０】
Ｓ１５では、主制御装置８０は、ＣＰＵやＩ／Ｏ等の初期設定を行い、Ｓ７０に処理を移行する。
一方、Ｓ１０で肯定判定が得られた場合には、主制御装置８０は、初期値乱数の更新（Ｓ２０），大当り決定用乱数の更新（Ｓ２５），大当り図柄決定用乱数の更新（Ｓ３０），当り決定用乱数の更新（Ｓ３５），リーチ判定用乱数の更新（Ｓ４０），変動パターン決定用乱数の更新（Ｓ４５）を行う。
【００９１】
そして、主制御装置８０は、始動口等といった入賞口への遊技球の入賞を検出する入賞確認処理と（Ｓ５０）、始動口への入賞に起因して大当り抽選を行う当否判定処理と（Ｓ５５）、サブ統合制御装置８３等にデータ及びコマンドを送信し、また、ホールコンピュータ８７等に各種情報を送信する各出力処理と（Ｓ６０）、遊技者の不正行為を検出する不正監視処理と（Ｓ６５）を行う。
【００９２】
なお、これ以外にも、遊技球の普通図柄作動ゲート２２の通過に起因して普通図柄抽選等を行う普図当否判定処理や、普通電動役物（第２始動口１２）を開放することで普図遊技を行う普図遊技処理等が行われる。
【００９３】
また、当否判定処理に続いて、大当り遊技を行うための大当り遊技処理が行われる。
また、Ｓ７０では、主制御装置８０は、次のタイマ割込みが発生してメインルーチンが起動されるまで、初期値乱数の更新を繰り返し行う。
【００９４】
（３）始動口入賞確認処理について
次に、第１，第２始動口１１，１２への入賞を検出し、該入賞に応じて保留記憶等を行う始動口入賞確認処理について、図１０に記載のフローチャートを用いて説明する。なお、本処理は、メインルーチンから実行される入賞確認処理からコールされるサブルーチンとして構成されている。
【００９５】
Ｓ１００では、主制御装置８０は、第１始動口ＳＷ１１ａの検出信号に基づき、第１始動口１１への遊技球の入賞が発生したかを判定する。そして、肯定判定の場合は（Ｓ１００：Ｙｅｓ）、Ｓ１０５に処理を移行し、否定判定の場合は（Ｓ１００：Ｎｏ）、Ｓ１１５に処理を移行する。
【００９６】
Ｓ１０５では、主制御装置８０は、第１始動口１１に対応する特図についての保留記憶の数（第１保留記憶）が、最大値（一例として４）に達しているか否かを判定する。そして、肯定判定の場合は（Ｓ１０５：Ｙｅｓ）、Ｓ１１０に処理を移行し、否定判定の場合は（Ｓ１０５：Ｎｏ）、Ｓ１１５に処理を移行する。
【００９７】
Ｓ１１０では、主制御装置８０は、大当り抽選に用いられる大当り決定用乱数や、当り図柄を決定する大当り図柄決定用乱数や、図柄演出においてリーチとなるか否かを決定するためのリーチ判定用乱数や、特別図柄の変動時間等を決定するための変動パターン決定用乱数等を抽出する。そして、抽出した乱数を第１保留記憶として記憶すると共に、何個の第１保留記憶が生じているかを示す第１保留数コマンドを生成してサブ統合制御装置８３に送信し、Ｓ１１５に処理を移行する。
【００９８】
なお、主制御装置８０は、第１保留記憶に係る大当り決定用乱数等に基づき先読みを行い、先読み結果をサブ統合制御装置８３に送信しても良い。
Ｓ１１５では、主制御装置８０は、第２始動口ＳＷ１２ａの検出信号に基づき、第２始動口１２への遊技球の入賞が発生したかを判定する。そして、肯定判定の場合は（Ｓ１１５：Ｙｅｓ）、Ｓ１２０に処理を移行し、否定判定の場合は（Ｓ１１５：Ｎｏ）、本処理を終了する。
【００９９】
Ｓ１２０では、主制御装置８０は、第２始動口１２に対応する特図についての保留記憶の数（第２保留記憶）が、最大値（一例として４）に達しているか否かを判定する。そして、肯定判定の場合は（Ｓ１２０：Ｙｅｓ）、本処理を終了し、否定判定の場合は（Ｓ１２０：Ｎｏ）、Ｓ１２５に処理を移行する。
【０１００】
Ｓ１２５では、主制御装置８０は、大当り決定用乱数や大当り図柄決定用乱数やリーチ判定用乱数や変動パターン決定用乱数等を抽出する。そして、抽出した乱数を第２保留記憶として記憶すると共に、何個の第２保留記憶が生じているかを示す第２保留数コマンドを生成してサブ統合制御装置８３に送信し、本処理を終了する。
【０１０１】
なお、主制御装置８０は、第２保留記憶に係る大当り決定用乱数等に基づき先読みを行い、先読み結果をサブ統合制御装置８３に送信しても良い。
（４）当否判定処理について
次に、保留記憶に係る大当り決定用乱数により大当り抽選を行う当否判定処理について、図１１〜１４のフローチャートを用いて説明する。なお、本処理は、メインルーチンから実行される。また、本処理の終了後は、大当り遊技を行うための大当り遊技処理が実行される。
【０１０２】
まず、図１１に関して、Ｓ２００では、主制御装置８０は、役物連続作動装置の作動中、すなわち、大当り遊技の実行中であるか否かを判定する。そして、肯定判定の場合には（Ｓ２００：Ｙｅｓ）、本処理を終了し、否定判定の場合には（Ｓ２００：Ｎｏ）、Ｓ２０５に処理を移行する。
【０１０３】
Ｓ２０５では、主制御装置８０は、第１特図或いは第２特図の変動表示中か否かを判定する。そして、肯定判定の場合には（Ｓ２０５：Ｙｅｓ）、図１３のＳ２８０に処理を移行し、否定判定の場合には（Ｓ２０５：Ｎｏ）、Ｓ２１０に処理を移行する。
【０１０４】
Ｓ２１０では、主制御装置８０は、第１特図或いは第２特図の確定表示中か否かを判定する。そして、肯定判定の場合には（Ｓ２１０：Ｙｅｓ）、図１４のＳ２９０に処理を移行し、否定判定の場合には（Ｓ２１０：Ｎｏ）、図１２のＳ２１５に処理を移行する。
【０１０５】
続いて図１２に関して、Ｓ２１５では、主制御装置８０は、第１保留記憶及び第２保留記憶の有無を判定し、いずれかの保留記憶が存在する場合には（Ｓ２１５：Ｙｅｓ）、Ｓ２２０に処理を移行すると共に、そうでない場合には（Ｓ２１５：Ｎｏ）、本処理を終了する。
【０１０６】
Ｓ２２０では、主制御装置８０は、現時点で存在する第１，第２保留記憶のうち、最先の保留記憶を選択すると共に、選択した保留記憶の種類に対応する保留記憶の数をデクリメントし、Ｓ２２５に処理を移行する。なお、第１，第２保留記憶が存在する場合には、第２保留記憶のうち、最先に生じたものから順に選択する構成（第２保留記憶を優先消化する構成）としても良い。
【０１０７】
Ｓ２２５では、主制御装置８０は、確変状態であることを示す確変フラグがセットされているか否かを判定し、肯定判定の場合には（Ｓ２２５：Ｙｅｓ）、Ｓ２３０に処理を移行すると共に、否定判定の場合には（Ｓ２２５：Ｎｏ）、Ｓ２３５に処理を移行する。
【０１０８】
Ｓ２３０では、主制御装置８０は、選択された保留記憶に係る大当り判定用乱数と、確変状態に対応する当否判定用テーブル（確変テーブル）に基づき、大当り抽選で大当り或いは小当りとなるか否かを判定し、該保留記憶を消化する。そして、Ｓ２４０に処理を移行する。
【０１０９】
一方、Ｓ２３５では、主制御装置８０は、選択された保留記憶に係る大当り判定用乱数と、確変状態で無い場合に対応する当否判定用テーブル（通常テーブル）に基づき、大当り抽選で大当り或いは小当りとなるか否かを判定し、該保留記憶を消化する。そして、Ｓ２４０に処理を移行する。
【０１１０】
Ｓ２４０では、主制御装置８０は、大当りとなったか否かを判定し、肯定判定の場合には（Ｓ２４０：Ｙｅｓ）、Ｓ２４５に処理を移行すると共に、否定判定の場合には（Ｓ２４０：Ｎｏ）、Ｓ２６０に処理を移行する。
【０１１１】
Ｓ２４５では、主制御装置８０は、消化した保留記憶に係る大当り図柄決定用乱数に基づき当り図柄を決定する。なお、大当り図柄決定用乱数に基づく決定の結果、第１特図，第２特図に対応する各当り図柄は、予め定められた振分率に従いランダムに選択される。そして、Ｓ２５０に処理を移行する。
【０１１２】
Ｓ２５０，Ｓ２５５では、主制御装置８０は、消化した保留記憶に係る変動パターン決定用乱数等に基づき特別図柄の変動時間等を決定すると共に、当り図柄に基づき大当り遊技における開放パターンや、大当り遊技後の開放延長機能の作動の有無や、開放延長機能や確変状態の継続回数等決定し、Ｓ２７０に処理を移行する。
【０１１３】
一方、Ｓ２６０では、主制御装置８０は、小当りとなったか否かを判定し、肯定判定の場合には（Ｓ２６０：Ｙｅｓ）、Ｓ２６２に処理を移行すると共に、否定判定の場合には（Ｓ２６０：Ｎｏ）、Ｓ２６６に処理を移行する。
【０１１４】
Ｓ２６２では、主制御装置８０は、消化した保留記憶に係る大当り図柄決定用乱数に基づき当り図柄を決定する。また、該保留記憶に係るリーチ判定用乱数や変動パターン決定用乱数等に基づき特別図柄の変動時間等を決定し（Ｓ２６４）、Ｓ２６８に処理を移行する。
【０１１５】
また、大当りや小当りにならなかった場合に移行するＳ２６６では、主制御装置８０は、消化した保留記憶に係るリーチ判定用乱数や変動パターン決定用乱数等に基づき特別図柄の変動時間等を決定し、Ｓ２６８に処理を移行する。
【０１１６】
Ｓ２６８では、主制御装置８０は、確変状態中に実行可能な大当り抽選の残り回数（確変回数）や、時短状態中に実行可能な大当り抽選の残り回数（時短回数）を示すカウンタの更新等を行い、Ｓ２７０に処理を移行する。
【０１１７】
Ｓ２７０では、主制御装置８０は、サブ統合制御装置８３に対し、大当り抽選後の第１保留記憶の数を示す第１保留数コマンドと、大当り抽選後の第２保留記憶の数を示す第２保留数コマンドとを送信する。また、消化した保留記憶に対応する特図の変動表示を開始すると共に、サブ統合制御装置８３に対し特別図柄の変動時間等を示す変動開始コマンドを送信することで図柄演出を開始させる。さらに、サブ統合制御装置８３に対し、停止表示させる疑似図柄（大当りの場合には、当り図柄に対応する疑似図柄となる）を指示する図柄指定コマンドを送信し、本処理を終了する。
【０１１８】
続いて図１３に関して、第１特図或いは第２特図の変動表示中に移行するＳ２８０では、主制御装置８０は、特図の変動時間が経過したか否かを判定し、肯定判定の場合には（Ｓ２８０：Ｙｅｓ）、Ｓ２８５に処理を移行すると共に、否定判定の場合には（Ｓ２８０：Ｎｏ）、本処理を終了する。
【０１１９】
Ｓ２８５では、主制御装置８０は、特図の変動表示を終了し、特図の確定図柄を表示させると共に、サブ統合制御装置８３に対し疑似図柄の確定表示を行わせる図柄確定コマンドを送信し、本処理を終了する。
【０１２０】
続いて図１４に関して、特図の確定表示中に移行するＳ２９０では、主制御装置８０は、特図の確定表示の継続時間が終了したか否かを判定する。そして、肯定判定の場合には（Ｓ２９０：Ｙｅｓ）、Ｓ２９５に処理を移行すると共に、否定判定の場合には（Ｓ２９０：Ｎｏ）、本処理を終了する。
【０１２１】
Ｓ２９５では、主制御装置８０は、特図の確定表示を終了し、Ｓ３００に処理を移行する。
Ｓ３００では、主制御装置８０は、確定表示されていた特図が大当り時のものであるかを判定し、肯定判定の場合には（Ｓ３００：Ｙｅｓ）、Ｓ３０５に処理を移行すると共に、否定判定の場合には（Ｓ３００：Ｎｏ）、Ｓ３３５に処理を移行する。
【０１２２】
Ｓ３０５では、主制御装置８０は、確変状態であることを示す確変フラグを参照すると共に、確変フラグがセットされている場合には確変フラグをクリアし（Ｓ３１０）、その後、Ｓ３１５に処理を移行する。
【０１２３】
Ｓ３１５では、主制御装置８０は、時短状態であることを示す時短フラグを参照すると共に、時短フラグがセットされている場合には時短フラグをクリアし（Ｓ３２０）、その後、Ｓ３２５に処理を移行する。
【０１２４】
そして、主制御装置８０は、条件装置作動開始処理（Ｓ３２５），役物連続作動装置作動開始処理（Ｓ３２７）を実行すると共に、大当り抽選での当選を通知するコマンドや、特典内容等を通知するコマンドをサブ統合制御装置８３に送信し（Ｓ３３０）、本処理を終了する。
【０１２５】
一方、Ｓ３００にて否定判定が得られた場合に移行するＳ３３５では、主制御装置８０は、確変フラグを参照し、該フラグがセットされている場合には（Ｓ３３５：Ｙｅｓ）、確変回数を参照する（Ｓ３４０）。そして、確変回数が０である場合には（Ｓ３４０：Ｙｅｓ）、確変フラグをクリアし（Ｓ３４５）、Ｓ３５０に処理を移行する。
【０１２６】
Ｓ３５０では、主制御装置８０は、時短フラグを参照し、該フラグがセットされている場合には（Ｓ３５０：Ｙｅｓ）、時短回数を参照する（Ｓ３５５）。そして、時短回数が０である場合には（Ｓ３５５：Ｙｅｓ）、時短フラグをクリアし（Ｓ３６０）、Ｓ３６５に処理を移行する。
【０１２７】
Ｓ３６５では、主制御装置８０は、サブ統合制御装置８３に対し、現在の遊技状態を通知する状態指定コマンドを送信する状態指定コマンド送信処理を実行し、Ｓ３６７に処理を移行する。
【０１２８】
Ｓ３６７では、主制御装置８０は、確定表示されていた特図が小当り時のものであるかを判定し、肯定判定の場合には（Ｓ３６７：Ｙｅｓ）、Ｓ３６９に処理を移行すると共に、否定判定の場合には（Ｓ３６７：Ｎｏ）、本処理を終了する。
【０１２９】
Ｓ３６９では、主制御装置８０は、小当り遊技開始処理を実行し、小当り遊技の役物として第２大入賞口２１を作動中とすると共に、サブ統合制御装置８３に対しコマンドを送信して小当り開始演出を実行させ、本処理を終了する。
【０１３０】
（５）大当り遊技処理について
次に、大当り遊技を行う大当り遊技処理について、図１５〜１９のフローチャートを用いて説明する。なお、本処理は、当否判定処理に続いて実行される。また、大当り遊技中は、主制御装置８０は、サブ統合制御装置８３に対し、現在のラウンド数や、各大入賞口の開放，入球や、確変口１５への入球を通知するためのコマンドを随時送信する。
【０１３１】
Ｓ５００では、主制御装置８０は、役物連続作動装置の作動中、すなわち、大当り遊技の実行中であるか否かを判定する。そして、肯定判定の場合には（Ｓ５００：Ｙｅｓ）、Ｓ５１０に処理を移行し、否定判定の場合には（Ｓ５００：Ｎｏ）、Ｓ５０５に処理を移行する。
【０１３２】
Ｓ５０５では、主制御装置８０は、小当り遊技の役物として第２大入賞口２１が作動中か否かを判定する。そして、肯定判定の場合には（Ｓ５０５：Ｙｅｓ）、図１９のＳ７１０に処理を移行し、否定判定の場合には（Ｓ５０５：Ｎｏ）、本処理を終了する。
【０１３３】
Ｓ５１０では、主制御装置８０は、第２大入賞口２１の開放中であるか否かを判定し、肯定判定の場合には（Ｓ５１０：Ｙｅｓ）、図１６のＳ５４５に処理を移行すると共に、否定判定の場合には（Ｓ５１０：Ｎｏ）、Ｓ５１５に処理を移行する。
【０１３４】
Ｓ５１５では、主制御装置８０は、第１大入賞口２０の開放中であるか否かを判定し、肯定判定の場合には（Ｓ５１５：Ｙｅｓ）、図１６のＳ５７５に処理を移行すると共に、否定判定の場合には（Ｓ５１５：Ｎｏ）、Ｓ５２０に処理を移行する。
【０１３５】
Ｓ５２０では、主制御装置８０は、大当り遊技における各ラウンドのインターバル中であるか否かを判定し、肯定判定の場合には（Ｓ５２０：Ｙｅｓ）、図１７のＳ６００に処理を移行すると共に、否定判定の場合には（Ｓ５２０：Ｎｏ）、Ｓ５２５に処理を移行する。
【０１３６】
Ｓ５２５では、主制御装置８０は、大当り遊技の終了演出中であるか否かを判定し、肯定判定の場合には（Ｓ５２５：Ｙｅｓ）、図１８のＳ６４５に処理を移行すると共に、否定判定の場合には（Ｓ５２５：Ｎｏ）、Ｓ５３０に処理を移行する。
【０１３７】
Ｓ５３０では、主制御装置８０は、大当り抽選で当った後、大当り遊技が開始されるまでに行われる大当り開始演出の演出時間が経過したか否かを判定し、肯定判定の場合には（Ｓ５３０：Ｙｅｓ）、Ｓ５３５に処理を移行すると共に、否定判定の場合には（Ｓ５３０：Ｎｏ）、本処理を終了する。
【０１３８】
Ｓ５３５では、主制御装置８０は、大当りの種類に対応する開放パターンに従い第２大入賞口２１を開放させる第２大入賞口開放処理を実行する（１Ｒ目の大当り遊技を実行する）と共に、開閉パターンに従いシャッター１４を制御し、確変口１５の開閉を行う。また、ラウンド数を示す開放カウンタに１を設定し（Ｓ５４０）、本処理を終了する。
【０１３９】
続いて図１６に関して、第２大入賞口２１の開放中に移行するＳ５４５では、主制御装置８０は、確変口ＳＷ１５ａからの信号により、確変口１５への入球が生じたか否かを判定する。そして、肯定判定の場合には（Ｓ５４５：Ｙｅｓ）、Ｓ５５０に処理を移行すると共に、否定判定の場合には（Ｓ５４５：Ｎｏ）、Ｓ５５５に処理を移行する。
【０１４０】
Ｓ５５０では、主制御装置８０は、確変口入球フラグをセットすると共に、サブ統合制御装置８３に対し、確変口１５への入球が生じた旨を示す入球発生コマンドを送信し、Ｓ５５５に処理を移行する。
【０１４１】
Ｓ５５５では、主制御装置８０は、第２大入賞口２１に入賞した遊技球の数が１０個となったか否かを判定する。そして、肯定判定の場合には（Ｓ５５５：Ｙｅｓ）、Ｓ５６５に処理を移行すると共に、否定判定の場合には（Ｓ５５５：Ｎｏ）、Ｓ５６０に処理を移行する。
【０１４２】
Ｓ５６０では、主制御装置８０は、第２大入賞口２１の開放時間が終了したか否かを判定し、肯定判定の場合には（Ｓ５６０：Ｙｅｓ）、Ｓ５６５に処理を移行すると共に、否定判定の場合には（Ｓ５６０：Ｎｏ）、本処理を終了する。
【０１４３】
Ｓ５６５では、主制御装置８０は、第２大入賞口２１を閉鎖させる第２大入賞口閉鎖処理を実行し、Ｓ５７０に処理を移行する。
Ｓ５７０では、主制御装置８０は、大当り遊技の各ラウンドのインターバルを設定する大当りインターバル処理を実行し、本処理を終了する。
【０１４４】
一方、第１大入賞口２０の開放中に移行するＳ５７５では、主制御装置８０は、第１大入賞口２０に入賞した遊技球の数が１０個となったか否かを判定する。そして、肯定判定の場合には（Ｓ５７５：Ｙｅｓ）、Ｓ５８５に処理を移行すると共に、否定判定の場合には（Ｓ５７５：Ｎｏ）、Ｓ５８０に処理を移行する。
【０１４５】
Ｓ５８０では、主制御装置８０は、第１大入賞口２０の開放時間が終了したか否かを判定し、肯定判定の場合には（Ｓ５８０：Ｙｅｓ）、Ｓ５８５に処理を移行すると共に、否定判定の場合には（Ｓ５８０：Ｎｏ）、本処理を移行する。
【０１４６】
Ｓ５８５では、主制御装置８０は、第１大入賞口２０を閉鎖させる第１大入賞口閉鎖処理を実行し、Ｓ５９０に処理を移行する。
Ｓ５９０では、主制御装置８０は、大当り遊技の各ラウンドのインターバルを設定する大当りインターバル処理を実行し、本処理を終了する。
【０１４７】
続いて図１７に関して、各ラウンドのインターバル中に移行するＳ６００では、主制御装置８０は、大当り遊技のインターバル時間が経過したか否かを判定し、肯定判定の場合には（Ｓ６００：Ｙｅｓ）、Ｓ６０５に処理を移行すると共に、否定判定の場合には（Ｓ６００：Ｎｏ）、本処理を終了する。
【０１４８】
Ｓ６０５では、主制御装置８０は、開放カウンタの値と大当りの種類に基づき最終ラウンドに到達したか否かを判定し、肯定判定の場合には（Ｓ６０５：Ｙｅｓ）、Ｓ６１０に処理を移行すると共に、否定判定の場合には（Ｓ６０５：Ｎｏ）、Ｓ６２０に処理を移行する。
【０１４９】
Ｓ６１０では、主制御装置８０は、大当り遊技を終了させる際の演出を行う大当り終了演出処理を実行すると共に、開放カウンタをクリアし（Ｓ６１５）、本処理を終了する。
一方、Ｓ６２０では、主制御装置８０は、開放カウンタの値と大当りの種類に対応する開放パターンとに基づき、新たに始まるラウンドにて第１大入賞口２０を開放させるか否かを判定する。そして、肯定判定が得られた場合には（Ｓ６２０：Ｙｅｓ）、Ｓ６２５に処理を移行すると共に、否定判定が得られた場合には（Ｓ６２０：Ｎｏ）、Ｓ６３５に処理を移行する。
【０１５０】
Ｓ６２５では、主制御装置８０は、第１大入賞口２０を開放させる第１大入賞口開放処理を実行すると共に、ラウンド数を示す開放カウンタをインクリメントし（Ｓ６３０）、本処理を終了する。
【０１５１】
一方、Ｓ６３５では、主制御装置８０は、大当りの種類に対応する開放パターンに従い第２大入賞口２１を開放させる第２大入賞口開放処理を実行すると共に、ラウンド数を示す開放カウンタをインクリメントし（Ｓ６４０）、本処理を終了する。なお、このとき、主制御装置８０は、シャッター１４を制御し、開閉パターンに従い確変口１５を開閉する。
【０１５２】
続いて図１８に関して、大当り遊技の終了演出中に移行するＳ６４５では、主制御装置８０は、該終了演出の時間が終了したか否かを判定し、肯定判定の場合には（Ｓ６４５：Ｙｅｓ）、Ｓ６５０に処理を移行すると共に、否定判定の場合には（Ｓ６４５：Ｎｏ）、本処理を終了する。
【０１５３】
続くＳ６５０，Ｓ６５５では、主制御装置８０は、役物連続作動装置と条件装置とを停止させ、Ｓ６６０に処理を移行する。
Ｓ６６０では、主制御装置８０は、大当り遊技中に、確変決定装置１３に設けられた確変口１５への入球が生じたことを示す確変口入球フラグがセットされているか否かを判定する。そして、肯定判定の場合には（Ｓ６６０：Ｙｅｓ）、Ｓ６６５に処理を移行すると共に、否定判定の場合には（Ｓ６６０：Ｎｏ）、Ｓ６８０に処理を移行する。
【０１５４】
Ｓ６６５では、主制御装置８０は、当り図柄に応じて先に決定された確変回数と時短回数を設定する。また、確変フラグと時短フラグをセットすると共に（Ｓ６７０）、確変口入球フラグをクリアし、Ｓ６９５に処理を移行する。
【０１５５】
一方、Ｓ６８０では、主制御装置８０は、大当りの種類に基づき大当り遊技の終了後に時短状態となるか否かを判定し、肯定判定の場合には（Ｓ６８０：Ｙｅｓ）、Ｓ６８５に処理を移行すると共に、否定判定の場合には（Ｓ６８０：Ｎｏ）、Ｓ６９５に処理を移行する。
【０１５６】
Ｓ６８５では、主制御装置８０は、当り図柄に応じて先に決定された時短回数を設定する。また、時短フラグをセットし（Ｓ６９０）、Ｓ６９５に処理を移行する。
Ｓ６９５，Ｓ７００では、主制御装置８０は、サブ統合制御装置８３に対し、大当り遊技に関する演出を終了させる大当り終了コマンドと、大当り遊技終了後の遊技状態を通知する状態指定コマンドとを送信し、本処理を終了する。
【０１５７】
一方、小当り遊技の役物として第２大入賞口２１が作動中である場合に移行するＳ７１０では、主制御装置８０は、小当り開始演出の実行中か否かを判定する。そして、肯定判定の場合には（Ｓ７１０：Ｙｅｓ）、Ｓ７１２に処理を移行すると共に、否定判定の場合には（Ｓ７１０：Ｎｏ）、Ｓ７１８に処理を移行する。
【０１５８】
Ｓ７１２では、主制御装置８０は、小当り開始演出の終了タイミングか否かを判定し、肯定判定の場合には（Ｓ７１２：Ｙｅｓ）、Ｓ７１４に処理を移行すると共に、否定判定の場合には（Ｓ７１２：Ｎｏ）、本処理を終了する。
【０１５９】
Ｓ７１４では、主制御装置８０は、シャッター１４を制御し、上述した開閉パターンにより確変口１５を開閉すると共に、予め定められた時間にわたり第２大入賞口２１を開放する第２大入賞口開放処理を実行し、Ｓ７１６に処理を移行する。
【０１６０】
Ｓ７１６では、主制御装置８０は、開放カウンタに１を設定し、本処理を終了する。
小当り開始演出の実行中でない場合に移行するＳ７１８では、主制御装置８０は、第２大入賞口２１が開放中か否かを判定し、肯定判定の場合には（Ｓ７１８：Ｙｅｓ）、Ｓ７２４に処理を移行すると共に、否定判定の場合には（Ｓ７１８：Ｎｏ）、Ｓ７３６に処理を移行する。
【０１６１】
Ｓ７２４では、主制御装置８０は、小当り遊技中に第２大入賞口２１に入賞した遊技球の数が９個となったか否かを判定する。そして、肯定判定の場合には（Ｓ７２４：Ｙｅｓ）、Ｓ７２６に処理を移行すると共に、否定判定の場合には（Ｓ７２４：Ｎｏ）、Ｓ７２８に処理を移行する。
【０１６２】
Ｓ７２６では、主制御装置８０は、第２大入賞口２１の開放時間が終了したか否かを判定し、肯定判定の場合には（Ｓ７２６：Ｙｅｓ）、Ｓ７２８に処理を移行すると共に、否定判定の場合には（Ｓ７２６：Ｎｏ）、本処理を終了する。
【０１６３】
Ｓ７２８では、主制御装置８０は、第２大入賞口２１を閉鎖する第２大入賞口閉鎖処理を実行し、Ｓ７３０に処理を移行する。
Ｓ７３０では、主制御装置８０は、大当り遊技中の第２大入賞口２１の開放回数が上限回数（２回）に達したか否かを判定し、肯定判定の場合には（Ｓ７３０：Ｙｅｓ）、Ｓ７３２に処理を移行すると共に、否定判定の場合には（Ｓ７３０：Ｎｏ）、Ｓ７３４に処理を移行する。なお、この後、次に第２大入賞口２１が開放されるまでのインターバルに突入する。
【０１６４】
Ｓ７３２では、主制御装置８０は、サブ統合制御装置８３に対しコマンドを送信して小当り終了演出を実行させ、本処理を終了する。
一方、Ｓ７３４では、主制御装置８０は、開放カウンタに１を加算し、本処理を終了する。
【０１６５】
また、第２大入賞口２１の開放中でない場合に移行するＳ７３６では、主制御装置８０は、第２大入賞口２１の各開放タイミングのインターバル中か否かを判定する。そして、肯定判定の場合には（Ｓ７３６：Ｙｅｓ）、Ｓ７３８に処理を移行すると共に、否定判定の場合には（Ｓ７３６：Ｎｏ）、Ｓ７４２に処理を移行する。
【０１６６】
Ｓ７３８では、主制御装置８０は、インターバルが終了したか否かを判定し、肯定判定の場合には（Ｓ７３８：Ｙｅｓ）、Ｓ７４０に処理を移行すると共に、否定判定の場合には（Ｓ７３８：Ｎｏ）、本処理を終了する。
【０１６７】
Ｓ７４０では、主制御装置８０は、シャッター１４を制御し、上述した開閉パターンにより確変口１５を開閉すると共に、予め定められた時間にわたり第２大入賞口２１を開放する第２大入賞口開放処理を実行し、本処理を終了する。
【０１６８】
第２大入賞口２１の各開放タイミングのインターバル中でない場合に移行するＳ７４２では、主制御装置８０は、小当り終了演出が終了したか否かを判定する。そして、肯定判定の場合には（Ｓ７４２：Ｙｅｓ）、Ｓ７４４に処理を移行すると共に、否定判定の場合には（Ｓ７４２：Ｎｏ）、本処理を終了する。
【０１６９】
Ｓ７４４では、主制御装置８０は、小当り遊技終了処理を実行し、小当り遊技の役物としての第２大入賞口２１の動作を停止させ、本処理を終了する。
（６）演出について
サブ統合制御装置８３は、主制御装置８０からのコマンドに基づき演出図柄制御装置８２等を制御し、演出図柄表示装置６にて、保留図柄を表示する保留演出や、疑似図柄の変動表示を行った後に当否判定の結果や当り図柄等に応じた疑似図柄を停止表示させる図柄演出や、大当り遊技の進行状況を報知する大当り演出等の各種演出を行う。
【０１７０】
図柄演出では、確変確定図柄（例えば３や７），不確定図柄等の疑似図柄が用いられ、８Ｒ確変確定大当りとなった場合には、図柄演出では、同一の確変確定図柄が並んで停止表示され、これにより、大当り遊技が開始される前に確変状態への移行がほぼ確実であることが判明する。
【０１７１】
一方、８Ｒ昇格大当りＡ，Ｂ，８Ｒ通常大当り，４Ｒ通常大当りとなった場合には、図柄演出では同一の不確定図柄が並んで停止表示され、遊技者に確変状態に移行する期待を持たせた状態で大当り遊技が開始される。
【０１７２】
なお、８Ｒ通常大当り，４Ｒ通常大当りとなった場合には、図柄演出にて同一の通常図柄（第２大入賞口２１の長時間開放がされないことを示す疑似図柄）を停止表示させても良い。また、８Ｒ確変確定大当りとなった場合に、図柄演出で不確定図柄を停止表示させても良い。
【０１７３】
そして、図２０に記載されているように、８Ｒ確変確定大当りとなった場合、演出図柄表示装置６では、図柄演出にて確変確定図柄が停止表示された後、確変状態への移行がほぼ確定した旨を報知する演出画面８００が表示される。
【０１７４】
また、既に述べたように、８Ｒ確変確定大当りとなった場合、大当り遊技における１，２，４，８Ｒにて第２大入賞口２１が長時間開放されるが、これらのラウンドで確変口１５への入球が生じなかった場合には、演出画面８０５〜８１５を表示してアクシデント演出が行われ、確変口１５への入球に失敗した旨や確変機能の作動に失敗した旨等が示唆或いは報知される。
【０１７５】
具体的には、例えば、１，２Ｒにて確変口１５への入球が生じなかった場合には、演出画面８０５を表示し、４Ｒにて確変口１５への入球が生じなかった場合には、演出画面８１０を表示し、８Ｒにて確変口１５への入球が生じなかった場合には、演出画面８１５を表示しても良い（図２０，２１参照）。
【０１７６】
また、８Ｒ昇格大当りＡによる大当り遊技中には、４Ｒにて第２大入賞口２１が長時間開放されるが、４Ｒ中（或いは４Ｒに移行する前）には、第２大入賞口２１が開放される旨や、第２大入賞口２１への入球により確変状態に移行する旨を示唆或いは報知する演出（昇格演出）がなされる。そして、４Ｒにて確変口１５への入球が生じると、演出画面８２０が表示され、確変状態への移行が確定したことが報知される（図２１（ｂ））。
【０１７７】
また、８Ｒ昇格大当りＢによる大当り遊技中には、８Ｒ（アタックラウンド）にて第２大入賞口２１が長時間開放されるが、８Ｒ中（或いは８Ｒに移行する前）には昇格演出がなされる。そして、８Ｒにて確変口１５への入球が生じると、演出画面８２５が表示され、確変状態への移行が確定したことが報知される（図２１（ｃ））。
【０１７８】
なお、４Ｒ或いは８Ｒにおいて、確変口１５への入球が生じたことに起因して昇格演出を行っても良い。
また、これらの大当りが生じた際の大当り演出では、昇格演出がなされる前には、確変状態への移行を示唆する演出を一切行わないことが好適である。
【０１７９】
また、８Ｒ昇格大当りＡ，Ｂと、８Ｒ通常大当りと、４Ｒ通常大当りとによる大当り演出において、４Ｒに突入するまで同じ内容の演出（大当りの種別を区別できない態様の演出）を行っても良い。また、８Ｒ昇格大当りＢと８Ｒ通常大当りとによる大当り演出において、８Ｒに突入するまで同じ内容の演出（大当りの種別を区別できない態様の演出）を行っても良い。
【０１８０】
こうすることにより、４Ｒ或いは８Ｒに突入するまで確変機能を作動させることができるか否か判明せず、大当り遊技中の緊張感を高め、遊技者を喜ばせたり落胆させたりすることができる。
【０１８１】
さらに、８Ｒ昇格大当りＡと４Ｒ通常大当りとによる大当り演出において、４Ｒに突入するまで同じ内容の演出（大当りの種別を区別できない態様の演出）を行い、８Ｒ昇格大当りＡによる大当り演出においては、４Ｒにて、昇格演出に加え、総ラウンド数が８Ｒに増えたかのように見せる演出を行っても良い。
【０１８２】
こうすることにより、遊技者に対し、確変状態への移行とラウンド数の増加という２つの特典を付与することができ、遊技者を喜ばせることができる。
また、８Ｒ突確大当り，２Ｒ突確大当り，小当りに当選した場合には、“突”の文字の疑似図柄（突確図柄）が追加された状態で図柄演出が行われる（以後、突確演出とも記載）。
【０１８３】
具体的には、図柄演出では、演出画面における左右方向に並んだ３つの変動領域で疑似図柄の変動表示が行われるが、突確演出においても、図柄演出と同様、最初にこれらの変動領域で変動表示が行われる。その後、左，右の変動領域において疑似図柄が停止表示され、中央の変動領域にて突確図柄が追加された状態で変動表示がなされる。無論、突確図柄は、中央の変動領域で常時変動表示される疑似図柄として設けられていても良い。
【０１８４】
そして、８Ｒ突確大当りや２Ｒ突確大当りである場合には、演出画面８３０が表示され、中央の変動領域にて突確図柄が停止表示されると共に、右打ちが指示される（第１実施形態では第２大入賞口２１が右打ち領域に配されているため）。一方、小当りである場合には、演出画面８３５が表示され、中央の変動領域にて突確図柄以外の疑似図柄が停止表示される（図２２参照）。
【０１８５】
なお、８Ｒ確変確定大当りとなった場合にも、同様にして突確演出を行い、突確図柄の停止表示を行っても良い。また、８Ｒ突確大当り，２Ｒ突確大当りに当選した場合に、突確演出を行うこと無く大当り遊技を行い、大当り演出において確変状態への移行を報知しても良い。
【０１８６】
また、突確図柄を左，右の変動領域においても変動表示させ、いずれかの変動領域で突確図柄を停止表示させることで、突確大当りを報知しても良い。
また、８Ｒ突確大当り，２Ｒ突確大当りに当選した後、大当り遊技中に確変口１５への入球が生じると、主制御装置８０からサブ統合制御装置８３に対し、入球発生コマンドが送信される。入球発生コマンドを受信したサブ統合制御装置８３は、演出図柄表示装置６を介して、確変状態への移行が確定したことを報知する。
【０１８７】
（７）図柄変動開始処理について
次に、疑似図柄の変動表示を開始させる図柄変動開始処理について、図２３に記載のフローチャートを用いて説明する。なお、本処理は、サブ統合制御装置８３にて周期的なタイミングで実行される。
【０１８８】
Ｓ９００では、サブ統合制御装置８３は、主制御装置８０から変動開始コマンドを受信したか否かを判定し、肯定判定が得られた場合には（Ｓ９００：Ｙｅｓ）、Ｓ９０５に処理を移行すると共に、否定判定が得られた場合には（Ｓ９００：Ｎｏ）、本処理を終了する。
【０１８９】
Ｓ９０５では、サブ統合制御装置８３は、変動開始コマンドと共に受信した図柄指定コマンドに基づき、８Ｒ突確大当り，２Ｒ突確大当り，小当りのいずれかが生じたか否かを判定する。そして、肯定判定が得られた場合には（Ｓ９０５：Ｙｅｓ）、Ｓ９１０に処理を移行すると共に、否定判定が得られた場合には（Ｓ９０５：Ｎｏ）、Ｓ９１５に処理を移行する。
【０１９０】
Ｓ９１０では、サブ統合制御装置８３は、演出図柄表示装置６での突確演出における疑似図柄の変動表示を開始させ、本処理を終了する。なお、８Ｒ突確大当り，２Ｒ突確大当り，小当りが生じていない場合（例えば、８Ｒ通常大当りや４Ｒ通常大当りが生じた場合）であっても、突確演出における疑似図柄の変動表示を開始させても良い。
【０１９１】
一方、Ｓ９１５では、サブ統合制御装置８３は、演出図柄表示装置６での図柄演出における疑似図柄の変動表示を開始させ、本処理を終了する。
なお、以後、突確演出或いは図柄演出を行うサブ統合制御装置８３は、左変動領域，右変動領域の順に疑似図柄を停止表示させ、図柄確定コマンドを受信した時点で、中央の変動領域に疑似図柄を停止表示させる。
【０１９２】
（８）図柄停止処理について
次に、疑似図柄の変動表示を停止させる図柄停止処理について、図２４に記載のフローチャートを用いて説明する。なお、本処理は、サブ統合制御装置８３にて周期的なタイミングで実行される。
【０１９３】
Ｓ９５０では、サブ統合制御装置８３は、図柄演出或いは突確演出による疑似図柄の変動表示中か否かを判定し、肯定判定が得られた場合には（Ｓ９５０：Ｙｅｓ）、Ｓ９５５に処理を移行すると共に、否定判定が得られた場合には（Ｓ９５０：Ｎｏ）、本処理を終了する。
【０１９４】
Ｓ９５５では、サブ統合制御装置８３は、主制御装置８０から図柄確定コマンドを受信したか否かを判定し、肯定判定が得られた場合には（Ｓ９５５：Ｙｅｓ）、Ｓ９６０に処理を移行すると共に、否定判定が得られた場合には（Ｓ９５５：Ｎｏ）、本処理を終了する。
【０１９５】
Ｓ９６０では、サブ統合制御装置８３は、突確演出の実行中か否かを判定し、肯定判定が得られた場合には（Ｓ９６０：Ｙｅｓ）、Ｓ９６５に処理を移行すると共に、否定判定が得られた場合には（Ｓ９６０：Ｎｏ）、Ｓ９８０に処理を移行する。
【０１９６】
Ｓ９６５では、サブ統合制御装置８３は、先に受信した図柄指定コマンドに基づき、８Ｒ突確大当り又は２Ｒ突確大当りに当選したか否かを判定する。そして、肯定判定が得られた場合には（Ｓ９６５：Ｙｅｓ）、Ｓ９７０に処理を移行すると共に、否定判定が得られた場合には（Ｓ９６５：Ｎｏ）、Ｓ９７５に処理を移行する。
【０１９７】
Ｓ９７０では、サブ統合制御装置８３は、中央の変動領域に突確図柄を停止表示させると共に、演出図柄表示装置６に右打ちを指示するメッセージを表示させ（演出画面８３０参照）、本処理を終了する。
【０１９８】
一方、Ｓ９７５では、サブ統合制御装置８３は、中央の変動領域に突確図柄以外の疑似図柄を停止表示させると共に、演出図柄表示装置６に確変状態への移行に失敗した旨を表示させ（演出画面８３５参照）、本処理を終了する。
【０１９９】
また、突確演出が行われていない場合に移行するＳ９８０では、サブ統合制御装置８３は、中央の変動領域に図柄指定コマンドに応じた疑似図柄を停止表示させ、本処理を終了する。
【０２００】
（９）大当り演出処理１について
次に、８Ｒ確変確定大当りによる大当り遊技の際に大当り演出を行う大当り演出処理１について、図２５に記載のフローチャートを用いて説明する。なお、本処理は、サブ統合制御装置８３にて周期的なタイミングで実行される。
【０２０１】
Ｓ１０００では、サブ統合制御装置８３は、８Ｒ確変確定大当りによる大当り遊技の実行中か否かを判定する。そして、肯定判定が得られた場合には（Ｓ１０００：Ｙｅｓ）、Ｓ１００５に処理を移行すると共に、否定判定が得られた場合には（Ｓ１０００：Ｎｏ）、本処理を終了する。
【０２０２】
Ｓ１００５では、サブ統合制御装置８３は、現在のラウンドが、１，２，４，８Ｒのうちのいずれかであるか否かを判定する。そして、肯定判定が得られた場合には（Ｓ１００５：Ｙｅｓ）、Ｓ１０１０に処理を移行すると共に、否定判定が得られた場合には（Ｓ１００５：Ｎｏ）、Ｓ１０３０に処理を移行する。
【０２０３】
Ｓ１０１０では、サブ統合制御装置８３は、演出図柄表示装置６の演出画面にて第２大入賞口２１が開放される旨を報知し、Ｓ１０１５に処理を移行する。なお、このとき、演出図柄表示装置６の演出画面にて右打ちを指示しても良い。
【０２０４】
Ｓ１０１５では、サブ統合制御装置８３は、既に確変口１５への入球が生じ、確変状態への移行が確定した状態か否かを判定する。そして、肯定判定が得られた場合には（Ｓ１０１５：Ｙｅｓ）、Ｓ１０３０に処理を移行すると共に、否定判定が得られた場合には（Ｓ１０１５：Ｎｏ）、Ｓ１０２０に処理を移行する。
【０２０５】
Ｓ１０２０では、サブ統合制御装置８３は、主制御装置８０からの入球発生コマンドに基づき、現在のラウンド中に確変口１５への入球が生じたか否かを判定する。そして、肯定判定が得られた場合には（Ｓ１０２０：Ｙｅｓ）、Ｓ１０２５に処理を移行すると共に、否定判定が得られた場合には（Ｓ１０２０：Ｎｏ）、Ｓ１０３０に処理を移行する。
【０２０６】
Ｓ１０２５では、サブ統合制御装置８３は、演出図柄表示装置６により確変状態への移行が確定した旨を報知し、Ｓ１０３０に処理を移行する。
Ｓ１０３０では、サブ統合制御装置８３は、２，４，８Ｒのうちのいずれか終了した直後か否かを判定する。そして、肯定判定が得られた場合には（Ｓ１０３０：Ｙｅｓ）、Ｓ１０３５に処理を移行すると共に、否定判定が得られた場合には（Ｓ１０３０：Ｎｏ）、本処理を終了する。
【０２０７】
Ｓ１０３５では、サブ統合制御装置８３は、確変口１５への入球が生じ、確変状態への移行が確定した状態か否かを判定する。そして、肯定判定が得られた場合には（Ｓ１０３５：Ｙｅｓ）、本処理を終了すると共に、否定判定が得られた場合には（Ｓ１０３５：Ｎｏ）、Ｓ１０４０に処理を移行する。
【０２０８】
Ｓ１０４０では、サブ統合制御装置８３は、演出図柄表示装置６にてアクシデント演出を開始し、本処理を終了する。
（１０）大当り演出処理２について
次に、８Ｒ昇格大当りＡ，Ｂによる大当り遊技の際に大当り演出を行う大当り演出処理２について、図２６に記載のフローチャートを用いて説明する。なお、本処理は、サブ統合制御装置８３にて周期的なタイミングで実行される。
【０２０９】
Ｓ１１００では、サブ統合制御装置８３は、８Ｒ昇格大当りＡ又は８Ｒ昇格大当りＢによる大当り遊技の実行中か否かを判定する。そして、肯定判定が得られた場合には（Ｓ１１００：Ｙｅｓ）、Ｓ１１０５に処理を移行すると共に、否定判定が得られた場合には（Ｓ１１００：Ｎｏ）、本処理を終了する。
【０２１０】
Ｓ１１０５では、サブ統合制御装置８３は、現在のラウンドが昇格ラウンド（８Ｒ昇格大当りＡの場合には４Ｒ、８Ｒ昇格大当りＢの場合には８Ｒ）であるか否かを判定する。そして、肯定判定が得られた場合には（Ｓ１１０５：Ｙｅｓ）、Ｓ１１１０に処理を移行すると共に、否定判定が得られた場合には（Ｓ１１０５：Ｎｏ）、Ｓ１１２５に処理を移行する。
【０２１１】
Ｓ１１１０では、サブ統合制御装置８３は、演出図柄表示装置６にて昇格演出を実行し、Ｓ１１１５に処理を移行する。なお、このとき、演出図柄表示装置６の演出画面にて右打ちを指示しても良い。また、昇格ラウンドが開始される前に、昇格演出を開始しても良い。
【０２１２】
Ｓ１１１５では、サブ統合制御装置８３は、主制御装置８０からの入球発生コマンドに基づき、昇格ラウンド中に確変口１５への入球が生じたか否かを判定する。そして、肯定判定が得られた場合には（Ｓ１１１５：Ｙｅｓ）、Ｓ１１２０に処理を移行すると共に、否定判定が得られた場合には（Ｓ１１１５：Ｎｏ）、Ｓ１１２５に処理を移行する。
【０２１３】
Ｓ１１２０では、サブ統合制御装置８３は、８Ｒ昇格大当りＡの場合には演出図柄表示装置６に演出画面８２０を、８Ｒ昇格大当りＢの場合には演出図柄表示装置６に演出画面８２５を表示することで確変状態への移行が確定した旨を報知し、Ｓ１１２５に処理を移行する。
【０２１４】
Ｓ１１２５では、サブ統合制御装置８３は、昇格ラウンドが終了した直後か否かを判定する。そして、肯定判定が得られた場合には（Ｓ１１２５：Ｙｅｓ）、Ｓ１１３０に処理を移行すると共に、否定判定が得られた場合には（Ｓ１１２５：Ｎｏ）、本処理を終了する。
【０２１５】
Ｓ１１３０では、サブ統合制御装置８３は、確変口１５への入球が生じ、確変状態への移行が確定した状態か否かを判定する。そして、肯定判定が得られた場合には（Ｓ１１３０：Ｙｅｓ）、本処理を終了すると共に、否定判定が得られた場合には（Ｓ１１３０：Ｎｏ）、Ｓ１１３５に処理を移行する。
【０２１６】
Ｓ１１３５では、サブ統合制御装置８３は、演出図柄表示装置６にてアクシデント演出を開始し、本処理を終了する。
［第２実施形態］
（１）概要について
第２実施形態のパチンコ機５０においても、第１実施形態と同様の大当り，小当りを有し、同様にして大当り遊技、小当り遊技が行われる。
【０２１７】
しかし、第１実施形態の大当り遊技では、第２大入賞口２１は長時間開放と短時間開放の２種類の態様で開放され、短時間開放された場合には、確変口１５への入球は困難或いは不可能となっていた。
【０２１８】
これに対し、第２実施形態では、第２大入賞口２１の開放態様として、確変口１５への入球が可能な入球可能状態と、確変口１５への入球が困難或いは不可能な入球不能状態の２種類の態様が設けられている（図２７参照）。
【０２１９】
各開放態様では、第２大入賞口２１は、２０秒間にわたり開放され、入球が可能となっている。しかし、シャッター１４の開閉タイミングと第２大入賞口２１の開放タイミングを調整することで、入球可能状態の場合には、第２大入賞口２１に入球した遊技球の確変口１５への入球を可能とし、入球不能状態の場合には、第２大入賞口２１に入球した遊技球の確変口１５への入球を不可能としている。
【０２２０】
具体的には、第２実施形態においても第１実施形態と同様の開閉パターンで確変口１５の開閉制御がなされるが、入球可能状態で第２大入賞口２１を開放する場合には、第２大入賞口２１の開放と同時に確変口１５の開閉制御を開始することで、確変口１５への入球を可能としている（図２７（ａ）参照）。
【０２２１】
一方、入球不能状態で第２大入賞口２１を開放する場合には、先行して確変口１５の開閉制御を行い、確変口１５の２回目の閉鎖直前に第２大入賞口２１の開放を開始することで、確変口１５への入球を不可能としている（図２７（ｂ）参照）。
【０２２２】
このため、第２大入賞口２１の開放パターンからは、確変機能の作動が可能か否かを判断することができなくなり、大当り遊技が開始された後も、確変機能が作動する大当り遊技であるか否かを判別不能とすることが可能となり、これにより、遊技の興趣を高めることができる。
【０２２３】
また、第２大入賞口２１の開放タイミングとシャッター１４の動作タイミングで確変口１５への入球を不可能にすることができるため、第２大入賞口２１が開放している時間は可能状態、不可能状態とで変化させる必要がなく、どちらの場合でも同じ賞球が獲得できる機会を与えることができる。また、遊技者も大入賞口の開放動作を見ただけではどちらか分からないため、確変口１５への入球の期待感を最後まで持つことができる。
【０２２４】
なお、確変口１５の２回目の閉鎖と同時或いは直後に、第２大入賞口２１の開放を開始しても良い。
また、入球不能状態の場合、第２大入賞口２１の開放開始タイミングを早めることで、非常に低い確率で、第２大入賞口２１に入球した遊技球が確変口１５に入球可能としても良い。
【０２２５】
そして、第２実施形態では、各種類の大当りに対応する大当り遊技においては、第１実施形態における長時間開放に替えて入球可能状態で第２大入賞口２１が開放され、短時間開放に替えて入球不能状態で第２大入賞口２１が開放される。
【０２２６】
また、第２実施形態においては、小当りが生じた場合には、最初に上述した確変口１５の開閉制御を行い、確変口１５の２回目の閉鎖直前に第２大入賞口２１の開放を開始し、一例として６秒後に第２大入賞口２１を閉鎖する処理（換言すれば、第２大入賞口の開放時間を６秒として、上述した入球不能状態で第２大入賞口２１を開放する処理）を２回繰り返すことで、小当り遊技が行われる。無論、開閉制御による確変口１５の２回目の閉鎖と同時或いは直後に、第２大入賞口２１の開放を開始しても良い。
【０２２７】
また、第１実施形態に記載したように、小当り遊技は第１大入賞口２０で行うことも考えられる。その場合は小当り遊技、大当り遊技で第１大入賞口２０が開放動作している時に確変機能が作動するか否かの演出を行うことになる。
【０２２８】
また、小当り遊技で第１大入賞口２０、第２大入賞口２１を動作させる構成も考えられる。これにより、多様な大当りパターンにて小当りと大当りを用いて演出が可能となる。
（２）演出について
また、第２実施形態においても突確演出が行われるが、第２実施形態では、図柄変動の開始後、左，右の変動領域で疑似図柄が停止表示された後に、中央の変動領域で突確図柄が追加された状態で変動領域が行われる。
【０２２９】
そして、８Ｒ突確大当り，２Ｒ突確大当り，小当り等に当選している場合には、演出図柄表示装置６に演出画面８４０が表示され、中央の変動領域に突確図柄が停止表示されると共に、右打ちを促すメッセージが表示される（図２８（ａ））。一方、これらに当選していない場合には、中央の変動領域に他の疑似図柄が停止表示される。
【０２３０】
このとき、８Ｒ突確大当り，２Ｒ突確大当りに当選し、第２大入賞口２１が入球可能状態で開放された場合には、右打ちにより遊技球が第２大入賞口２１に入球し、さらに該遊技球が確変口１５に入球すると、確変状態に移行した旨を報知する演出画面８４５が表示される（図２８（ｂ））。
【０２３１】
一方、小当り等に当選したため確変口１５に入球しなかった場合や、８Ｒ突確大当り，２Ｒ突確大当りに当選したが確変口１５に入球しなかった場合等には、確変状態への移行に失敗した旨を報知する演出画面８５０が表示される（図２８（ｃ））。
【０２３２】
なお、第２実施形態においても、第１実施形態と同様、８Ｒ突確大当り，２Ｒ突確大当りの場合には中央の変動領域に突確図柄を停止表示させ、小当り等の場合には中央の変動領域に他の疑似図柄を停止表示させることで、突確演出を行っても良い。
【０２３３】
また、第１実施形態において、第２実施形態と同様、８Ｒ突確大当り，２Ｒ突確大当り，小当り等に当選している場合に中央の変動領域に突確図柄を停止表示させ、右打ちを促すメッセージを表示することで、突確演出を行っても良い。その後、確変口１５への入球が生じた場合には、確変状態に移行した旨を表示すると共に、確変口１５への入球が生じなかった場合には、確変状態への移行に失敗した旨を表示しても良い。
【０２３４】
このような場合、１，２Ｒで第２大入賞口が短時間開放される８Ｒ通常大当りや４Ｒ通常大当り等に当選して突確演出が行われると、１，２Ｒで確変口１５に入球しなかった場合には、確変状態への移行に失敗した旨を報知する演出画面が表示される。しかし、非常に稀ではあるが、１，２Ｒで第２大入賞口２１に遊技球が入球し、該遊技球が確変口１５に入球して確変機能が作動する場合も想定される。このような場合には、専用の演出画面を設け、確変状態に移行した旨を報知しても良い。
【０２３５】
また、突確演出が行われた後、８Ｒ通常大当りや４Ｒ通常大当りの大当り遊技が開始されたという場合には、１，２Ｒでは確変口１５への入球がほぼ不可能であるため、遊技者にはチャンスを逃したという思いが生じるが、その後のラウンドが存在することで、意表をついて喜びを与えることができる。
【０２３６】
［効果］
第１，第２実施形態のパチンコ機５０によれば、８Ｒ突確大当りや２Ｒ突確大当りが生じた場合には、突確演出が行われ、大当り遊技が行われる前に確変状態への移行が示唆される。
【０２３７】
このため、突確演出がなされた後の大当り遊技の１ラウンド目で遊技球が第２大入賞口２１に入球し、さらに、該遊技球が確変口１５に入球して確変状態に移行することが決定すると、遊技者に対し、突確演出に起因して突然に確変状態への移行が生じたかのような印象を与えることが可能となる。
【０２３８】
また、８Ｒ昇格大当りＡ，Ｂが生じた場合には、大当り遊技の途中で昇格演出が行われ、これにより、確変状態への移行が困難或いは不可能な大当り遊技が、確変状態への移行が生じうる大当りに昇格したかのような印象を与えることが可能となる。
【０２３９】
このように、第１，第２実施形態のパチンコ機５０によれば、突然に確変状態を付与する演出や、確変状態に移行しない大当りに当選したと見せかけて確変状態を付与する演出を行うことができ、確変状態への移行について多様な演出を行うことが可能となる。
【０２４０】
［他の実施形態］
（１）第１，第２実施形態では、８Ｒ確変確定大当り，８Ｒ突確大当り，８Ｒ昇格大当りＡ，８Ｒ昇格大当りＢ，８Ｒ通常大当り，４Ｒ通常大当り，２Ｒ突確大当りが設けられており、大当りの種類に応じた態様で大当り遊技が行われる。しかしながら、各大当り遊技におけるラウンド数や開放パターンは、第１，第２実施形態として例示したものに限定されることは無く、例えば、ラウンド数が８Ｒの大当り遊技が行われる大当りのみを設けても良い。
【０２４１】
また、大当り遊技における各ラウンドでは、第１，第２大入賞口２０，２１のうちの一方が開放されるが、これに限定されることは無く、各ラウンドで第１，第２大入賞口２０，２１の双方を開放させても良い。
【０２４２】
また、第２大入賞口２１の開放時には、確変口１５は固定された開閉パターンで開閉される。しかしながら、これに限定されることは無く、例えば、第１実施形態において、第２大入賞口２１の長時間開放がなされる場合には、第２大入賞口２１の開放期間にわたり確変口１５を開放し、短時間開放がなされる場合には、確変口１５を閉鎖したままとしても良い。
【０２４３】
また、例えば、第２実施形態において、第２大入賞口２１が入球可能状態で開放される場合には、第２大入賞口２１の開放期間にわたり確変口１５を開放し、入球不能状態で開放される場合には、確変口１５を閉鎖したままとしても良い。
【０２４４】
このような場合であっても、同様の効果を得ることができる。
（２）また、第１，第２実施形態では、第２大入賞口２１は右打ち領域に配置されているが、これに限らず、左打ち領域に配置されていても良い。なお、このような場合には、突確演出や大当り演出等において、演出図柄表示装置６には右打ちを促すメッセージは表示されない。
【０２４５】
（３）また、第１，第２実施形態の突確演出では、図柄変動を行って突確図柄を停止表示させることで確変状態への移行を示唆しているが、これに限らず、例えば、特定のキャラクタを登場させることで確変状態への移行を示唆しても良いし、図柄演出等の態様を変化させることで確変状態への移行を示唆しても良い。このような場合であっても、同様の効果を得ることができる。
【０２４６】
［特許請求の範囲との対応］
上記実施形態の説明で用いた用語と、特許請求の範囲の記載に用いた用語との対応を示す。
【０２４７】
第１，第２実施形態における当否判定処理におけるＳ２３０，Ｓ２３５，Ｓ２４５が当否判定手段の一例に、大当り遊技処理におけるＳ５３５，Ｓ５６５，Ｓ５８５，Ｓ６２５，Ｓ６３５，Ｓ７１４，Ｓ７２８，Ｓ７４０が特定遊技手段の一例に、Ｓ６７０が確変設定手段の一例に相当する。
【０２４８】
また、シャッター１４が開閉部材の一例に相当する。
【符号の説明】
【０２４９】
１…遊技盤、２ａ…外レール、２ｂ…内レール、３…遊技領域、５…センターケース、６…演出図柄表示装置、７…普通図柄表示装置、８…普図保留数表示装置、９…第１特図表示装置、１０…第２特図表示装置、１１…第１始動口、１１ａ…第１始動口ＳＷ、１２…第２始動口、１２ａ…第２始動口ＳＷ、１２ｂ…普電役物ソレノイド、１３…確変決定装置、１４…シャッター、１４ａ…シャッターソレノイド、１５…確変口、１５ａ…確変口ＳＷ、２０…第１大入賞口、２０ａ…第１カウントＳＷ、２０ｂ…第１大入賞口ソレノイド、２１…第２大入賞口、２１ａ…第２カウントＳＷ、２１ｂ…第２大入賞口ソレノイド、２２…普通図柄作動ゲート、２２ａ…普通図柄作動ＳＷ、２３…第１特図保留数表示装置、２４…第２特図保留数表示装置、３０…払出モータ、３１…払出ＳＷ、３２…満杯ＳＷ、３３…球切れＳＷ、３４…ＣＲユニット端子板、３８…タッチＳＷ、３９…発射停止ＳＷ、４０…発射モータ、４５…ガラス枠閉鎖ＳＷ、４６…内枠閉鎖ＳＷ、４９…シリンダ錠、５０…パチンコ機、５１…外枠、５２…前枠、５３…ヒンジ、５５…上皿、５６…ＣＲユニット、５７…球貸ボタン、５８…精算ボタン、５９…精算表示装置、６１…板ガラス、６３…下皿、６４…発射ハンドル、６５…枠側装飾ランプ、６６…スピーカ、６７…遊技ＳＷ、７０…内枠、７１…球タンク、７２…タンクレール、７３…払出ユニット、７８…外部接続端子板、８０…主制御装置、８１…払出制御装置、８２…演出図柄制御装置、８３…サブ統合制御装置、８４…発射制御装置、８５…電源基板、９０…図柄表示装置中継端子板。
【図１】
2015036009.tif 000003
【図２】
2015036009.tif 000004
【図３】
2015036009.tif 000005
【図４】
2015036009.tif 000006
【図５】
2015036009.tif 000007
【図６】
2015036009.tif 000008
【図７】
2015036009.tif 000009
【図８】
2015036009.tif 000010
【図９】
2015036009.tif 000011
【図１０】
2015036009.tif 000012
【図１１】
2015036009.tif 000013
【図１２】
2015036009.tif 000014
【図１３】
2015036009.tif 000015
【図１４】
2015036009.tif 000016
【図１５】
2015036009.tif 000017
【図１６】
2015036009.tif 000018
【図１７】
2015036009.tif 000019
【図１８】
2015036009.tif 000020
【図１９】
2015036009.tif 000021
【図２０】
2015036009.tif 000022
【図２１】
2015036009.tif 000023
【図２２】
2015036009.tif 000024
【図２３】
2015036009.tif 000025
【図２４】
2015036009.tif 000026
【図２５】
2015036009.tif 000027
【図２６】
2015036009.tif 000028
【図２７】
2015036009.tif 000029
【図２８】
2015036009.tif 000030